(57)【要約】      （修正有）【課題】通信システムにおける通信トラヒックの制御を適切に行うことにより、通信の安定化を図ることが可能な無線基地局装置、無線端末装置、無線通信装置、通信制御方法および通信制御プログラムを提供する。【解決手段】無線基地局装置１０１Ａは、無線端末装置２０２Ａ−Ｅとの間で無線信号を送受信するための無線受信部および無線送信部と、無線受信部および無線送信部と無線信号を送受信することにより自己の無線基地局装置１０１Ａを介して他の装置との間で通信データを送受信している無線端末装置２０２Ａ−Ｅに対して、自己の無線基地局装置１０１Ａの代わりに、自己の無線基地局装置１０１Ａとは異なる無線通信方式に従うアクセスポイント１５１Ａ，Ｂと無線信号を送受信することによりアクセスポイント１５１Ａ，Ｂを介して他の装置との間で通信データを送受信する通信先変更動作を促すための切替え制御部とを備える。【選択図】図７
2014022847.tif 000002
【特許請求の範囲】
【請求項１】
無線端末装置と無線信号を送受信するための無線通信部と、
前記無線通信部と無線信号を送受信することにより自己の無線基地局装置を介して他の装置との間で通信データを送受信している無線端末装置に対して、自己の無線基地局装置の代わりに、自己の無線基地局装置とは異なる無線通信方式に従う無線通信装置と無線信号を送受信することにより前記無線通信装置を介して他の装置との間で通信データを送受信する通信先変更動作を促すためのオフロード促進部とを備える、無線基地局装置。
【請求項２】
前記無線基地局装置は、さらに、
前記オフロード促進部が前記通信先変更動作を促しても前記無線端末装置が前記通信先変更動作を行なわなかった場合に、前記通信先変更動作が行なわれる可能性を高めるためのオフロード処理を行うためのオフロード処理部を備える、請求項１に記載の無線基地局装置。
【請求項３】
前記オフロード処理部は、前記オフロード処理として、前記無線端末装置が前記無線通信部と無線信号を送信または受信する際に用いるリソースの割り当て量を小さくする、請求項２に記載の無線基地局装置。
【請求項４】
前記オフロード処理部は、前記オフロード処理として、前記無線通信部が前記無線端末装置へ送信する無線信号の電力を小さくする、請求項２または請求項３に記載の無線基地局装置。
【請求項５】
前記オフロード処理部は、前記オフロード処理として、前記無線端末装置が自己の無線基地局装置と送信または受信する通信データの種類を制限する、請求項２から請求項４のいずれか１項に記載の無線基地局装置。
【請求項６】
前記無線基地局装置は、さらに、
前記オフロード処理を行う旨を前記無線端末装置に通知するためのオフロード処理通知部を備え、
前記オフロード処理部は、前記オフロード処理通知部によって前記オフロード処理を行う旨が通知された後に前記オフロード処理を実行する、請求項２から請求項５のいずれか１項に記載の無線基地局装置。
【請求項７】
前記無線基地局装置は、さらに、
自己の無線基地局装置との間で無線端末装置のハンドオーバ動作を実行する機能を有していない無線通信装置と無線端末装置とが通信可能であるか否かを示す端末能力情報を取得するための端末能力情報取得部を備え、
前記オフロード促進部は、前記無線端末装置が前記無線通信装置と通信可能であることを前記端末能力情報が示す場合に、前記無線端末装置に対して前記通信先変更動作を促す、請求項１から請求項６のいずれか１項に記載の無線基地局装置。
【請求項８】
前記無線基地局装置は、さらに、
自己の無線基地局装置との間で無線端末装置のハンドオーバ動作を実行する機能を有していない無線通信装置の通信トラヒックを示すトラヒック情報を取得するためのトラヒック情報取得部を備え、
前記オフロード促進部は、前記トラヒック情報の示す通信トラヒックが所定条件を満たす場合に、前記無線端末装置に対して前記通信先変更動作を促す、請求項１から請求項７のいずれか１項に記載の無線基地局装置。
【請求項９】
前記無線基地局装置は、さらに、
自己の無線基地局装置との間で無線端末装置のハンドオーバ動作を実行する機能を有していない無線通信装置の属性を示す装置情報を前記無線端末装置に通知するための装置情報通知部を備える、請求項１から請求項８のいずれか１項に記載の無線基地局装置。
【請求項１０】
前記無線基地局装置は、さらに、
自己の無線基地局装置との間で無線端末装置のハンドオーバ動作を実行する機能を有していない無線通信装置が形成するエリアであって、前記無線通信装置と無線端末装置とが通信可能なエリアの位置を示す位置情報を含む前記装置情報を前記無線端末装置に通知するための位置情報通知部を備える、請求項９に記載の無線基地局装置。
【請求項１１】
前記無線基地局装置は、さらに、
自己の無線基地局装置との間で無線端末装置のハンドオーバ動作を実行する機能を有していない無線通信装置と無線端末装置との間の通信品質を示す通信品質情報を取得するための通信品質情報取得部を備え、
前記オフロード促進部は、前記通信品質情報の示す通信品質が所定条件を満たす場合に、前記無線端末装置に対して前記通信先変更動作を促す、請求項１から請求項１０のいずれか１項に記載の無線基地局装置。
【請求項１２】
前記無線基地局装置は、さらに、
自己の無線基地局装置との間で無線端末装置のハンドオーバ動作を実行する機能を有していない無線通信装置と無線端末装置との通信接続状態を示す通信接続情報を取得するための通信接続情報取得部を備える、請求項１から請求項１１のいずれか１項に記載の無線基地局装置。
【請求項１３】
無線端末装置と無線信号を送受信するための無線通信部と、
自己の無線基地局装置との間で無線端末装置のハンドオーバ動作を実行する機能を有していない無線通信装置と無線端末装置とが通信可能であるか否かを示す端末能力情報を、前記無線通信部を介して前記無線端末装置から取得するための端末能力情報取得部とを備える、無線基地局装置。
【請求項１４】
無線端末装置と無線信号を送受信するための無線通信部と、
自己の無線基地局装置との間で無線端末装置のハンドオーバ動作を実行する機能を有していない無線通信装置の属性を示す装置情報を、前記無線通信部を介して無線端末装置に通知するための装置情報通知部とを備える、無線基地局装置。
【請求項１５】
無線端末装置と無線信号を送受信するための無線通信部と、
前記無線通信部と無線信号を送受信することにより自己の無線基地局装置を介して他の装置との間で通信データを送受信している無線端末装置に対して、自己の無線基地局装置の代わりに、自己の無線基地局装置とは異なる無線通信方式に従う無線通信装置と無線信号を送受信することにより前記無線通信装置を介して他の装置との間で通信データを送受信する通信先変更動作が行なわれる可能性を高めるためのオフロード処理を行うためのオフロード処理部とを備える、無線基地局装置。
【請求項１６】
無線端末装置と無線信号を送受信するための無線通信部と、
自己の無線基地局装置との間で無線端末装置のハンドオーバ動作を実行する機能を有していない無線通信装置と信号を送受信するためのネットワーク通信部と、
前記無線通信装置の通信トラヒックを示すトラヒック情報を前記ネットワーク通信部を介して取得するためのトラヒック情報取得部とを備える、無線基地局装置。
【請求項１７】
無線端末装置と無線信号を送受信するための無線通信部と、
自己の無線基地局装置との間で無線端末装置のハンドオーバ動作を実行する機能を有していない無線通信装置と信号を送受信するためのネットワーク通信部と、
前記無線通信装置の属性を示す装置情報を前記ネットワーク通信部を介して取得するための装置情報取得部とを備える、無線基地局装置。
【請求項１８】
無線基地局装置と無線信号を送受信するための通信部と、
前記無線基地局装置との間で無線端末装置のハンドオーバ動作を実行する機能を有していない無線通信装置と、自己の無線端末装置とが前記通信部を介して通信可能であるか否かを示す端末能力情報を作成するための端末能力情報作成部と、
前記端末能力情報を、前記通信部を介して前記無線基地局装置へ通知するための通知部とを備える、無線端末装置。
【請求項１９】
無線基地局装置と無線信号を送受信するための通信部と、
前記無線基地局装置との間で無線端末装置のハンドオーバ動作を実行する機能を有していない無線通信装置と前記通信部を介して行う通信の品質を示す通信品質情報を取得するための通信品質情報取得部と、
前記通信品質情報を、前記通信部を介して前記無線基地局装置へ通知するための通知部とを備える、無線端末装置。
【請求項２０】
無線基地局装置と無線信号を送受信するための通信部と、
自己の無線端末装置が他の装置との間で通信データを送受信するための前記通信データの中継装置を、前記無線基地局装置から、前記無線基地局装置との間で無線端末装置のハンドオーバ動作を実行する機能を有していない無線通信装置へ変更する通信先変更動作を行うための通信先変更処理部と、
前記通信部を介して前記無線基地局装置から所定情報を取得した場合に、前記通信先変更処理部による前記通信先変更動作を実行可能とするための通信先変更許可部とを備える、無線端末装置。
【請求項２１】
無線基地局装置と無線信号を送受信するための通信部と、
前記無線基地局装置との間で無線端末装置のハンドオーバ動作を実行する機能を有していない無線通信装置が形成するエリアであって、前記無線通信装置と無線端末装置とが通信可能なエリアの位置を示すエリア位置情報を前記無線基地局装置から取得するための位置情報処理部と、
自己の無線端末装置の位置を示す端末位置情報を取得するための端末位置取得部と、
自己の無線端末装置が他の装置との間で通信データを送受信するための前記通信データの中継装置を、前記無線基地局装置から前記無線通信装置へ変更する通信先変更動作を行うための通信先変更処理部と、
前記端末位置情報の示す自己の無線端末装置の位置が前記エリア位置情報の示すエリアに含まれるか否かを判断し、自己の無線端末装置の位置が前記エリアに含まれる場合に、前記通信先変更処理部による前記通信先変更動作を実行可能とするための通信先変更許可部とを備える、無線端末装置。
【請求項２２】
無線端末装置と無線信号を送受信する無線基地局装置との間で無線端末装置のハンドオーバ動作を実行する機能を有していない無線通信装置であって、
無線端末装置と無線信号を送受信するための無線通信部と、
前記無線通信部を介して受信した通信データを他の装置へ送信し、かつ前記無線通信部を介して無線端末装置へ送信するための通信データを他の装置から受信するためのネットワーク通信部と、
自己の無線通信装置と無線端末装置との間の通信トラヒックを示すトラヒック情報を取得するためのトラヒック情報取得部と、
前記トラヒック情報を、前記ネットワーク通信部を介して前記無線基地局装置へ通知するための通知部とを備える、無線通信装置。
【請求項２３】
無線端末装置と無線信号を送受信する無線基地局装置との間で無線端末装置のハンドオーバ動作を実行する機能を有していない無線通信装置であって、
無線端末装置と無線信号を送受信するための無線通信部と、
前記無線通信部を介して受信した通信データを他の装置へ送信し、かつ前記無線通信部を介して無線端末装置へ送信するための通信データを他の装置から受信するためのネットワーク通信部と、
自己の無線通信装置の属性を示す装置情報を、前記ネットワーク通信部を介して前記無線基地局装置へ通知するための通知部とを備える、無線通信装置。
【請求項２４】
無線基地局装置における通信制御方法であって、
無線端末装置と無線信号を送受信することにより、前記無線端末装置による自己の無線基地局装置を介した他の装置との間の通信データの送受信を可能とするステップと、
自己の無線基地局装置の代わりに、自己の無線基地局装置とは異なる無線通信方式に従う無線通信装置と無線信号を送受信することにより前記無線通信装置を介して他の装置との間で通信データを送受信する通信先変更動作を前記無線端末装置に促すステップとを含む、通信制御方法。
【請求項２５】
無線基地局装置において用いられる通信制御プログラムであって、コンピュータに、
無線端末装置と無線信号を送受信することにより、前記無線端末装置による自己の無線基地局装置を介した他の装置との間の通信データの送受信を可能とするステップと、
自己の無線基地局装置の代わりに、自己の無線基地局装置とは異なる無線通信方式に従う無線通信装置と無線信号を送受信することにより前記無線通信装置を介して他の装置との間で通信データを送受信する通信先変更動作を前記無線端末装置に促すステップとを実行させるための、通信制御プログラム。
【発明の詳細な説明】
【技術分野】
【０００１】
本発明は、無線基地局装置、無線端末装置、無線通信装置、通信制御方法および通信制御プログラムに関し、特に、無線端末装置が移動動作を行なうことにより複数の無線基地局装置と通信可能な通信システムにおける無線基地局装置、無線端末装置、無線通信装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された小型基地局が注目を集めている。
【０００５】
この小型基地局の一種としてフェムト基地局およびピコ基地局が開発されている。フェムト基地局が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、ピコ基地局は、マクロ基地局をベースに開発され、たとえば半径１００メートルから２００メートルのピコセル（Pico Cell）を形成する。
【０００８】
このようなフェムト基地局、ピコ基地局およびマクロ基地局が混在する通信システムであるヘテロジーニアスネットワーク（Heterogeneous Network）では、たとえばマクロセル内に複数のフェムトセルまたはピコセルが形成される。
【０００９】
しかしながら、データ通信量が多い無線端末装置たとえばスマートフォンの台数が増加することに起因する通信トラヒックの増大によって、無線端末装置および無線基地局装置間において送受信する無線信号の通信容量が足りなくなりつつある状況が”ケータイ  Ｗａｔｃｈ”、[online]、[平成24年5月7日検索]、インターネット〈URL：http://k-tai.impress.co.jp/docs/column/keyword/20110913_477048.html〉（非特許文献１）において記載されている。
【００１０】
これに対して、無線基地局装置と比べて設置することが容易なたとえばＷｉ−Ｆｉ（登録商標）に従う認証を受けた無線ＬＡＮ（Local Area Network）装置すなわちアクセスポイントをセル内に配置する事業者もある（たとえば非特許文献１参照）。
【００１１】
無線端末装置および無線基地局装置間における通信トラヒックを無線端末装置およびアクセスポイント間に退避すなわちオフロードすることにより、無線端末装置および無線基地局装置間において送受信する無線信号の通信容量の不足に対処することが可能となる。
【先行技術文献】
【非特許文献】
【００１２】
【非特許文献１】”ケータイ  Ｗａｔｃｈ”、[online]、[平成24年5月7日検索]、インターネット〈URL：http://k-tai.impress.co.jp/docs/column/keyword/20110913_477048.html〉
【発明の概要】
【発明が解決しようとする課題】
【００１３】
しかしながら、一般に無線端末装置がアクセスポイントと接続するか否かは当該無線端末装置主導で行われる。Ｗｉ−Ｆｉ接続機能がオンに設定されている無線端末装置は、アクセスポイントからの無線信号を検出すると、当該アクセスポイントからの無線信号の受信環境が悪い場合でも通信先を無線基地局装置からアクセスポイントへ変更する。
【００１４】
そして、当該無線端末装置は、当該アクセスポイントからの無線信号の受信ができなくなる寸前まで当該アクセスポイントとの接続を継続してしまう。
【００１５】
また、Ｗｉ−Ｆｉ接続機能がオフに設定されている無線端末装置は、アクセスポイントと良好に無線信号の送受信を行うことが可能な状況においても、通信先を無線基地局装置からアクセスポイントへ変更しない。
【００１６】
このため、無線基地局装置またはアクセスポイントにおいて通信トラヒックの集中が発生しても、当該通信トラヒックの分散を適切に行えない場合がある。
【００１７】
この結果、通信システムにおける通信断および回線負荷の増加等、種々の問題が生じる。このような通信トラヒックの集中を抑制し、良好な通信システムを構築する技術が望まれる。
【００１８】
この発明は、上述の課題を解決するためになされたもので、その目的は、通信システムにおける通信トラヒックの制御を適切に行うことにより、通信の安定化を図ることが可能な無線基地局装置、無線端末装置、無線通信装置、通信制御方法および通信制御プログラムを提供することである。
【課題を解決するための手段】
【００１９】
（１）上記課題を解決するために、この発明のある局面に係わる無線基地局装置は、無線端末装置と無線信号を送受信するための無線通信部と、上記無線通信部と無線信号を送受信することにより自己の無線基地局装置を介して他の装置との間で通信データを送受信している無線端末装置に対して、自己の無線基地局装置の代わりに、自己の無線基地局装置とは異なる無線通信方式に従う無線通信装置と無線信号を送受信することにより上記無線通信装置を介して他の装置との間で通信データを送受信する通信先変更動作を促すためのオフロード促進部とを備える。
【００２０】
このような構成により、無線端末装置における通信先変更動作が促されるので、無線端末装置および無線基地局装置間における通信トラヒックを、当該無線端末装置および無線通信装置間へ退避させ、通信システムにおける通信トラヒックの分散を図ることができる。
【００２１】
これにより、当該無線端末装置および無線基地局装置間において通信トラヒックの集中が発生してしまう確率を下げることができるので、通信システムにおける通信の安定化を図ることができる。
【００２２】
また、無線端末装置において無線通信装置を常に探索する必要がなくなることにより、通信システムにおける周波数の利用効率の改善、および無線端末装置における消費電力の削減を行うことができる。
【００２３】
（２）好ましくは、上記無線基地局装置は、さらに、上記オフロード促進部が上記通信先変更動作を促しても上記無線端末装置が上記通信先変更動作を行なわなかった場合に、上記通信先変更動作が行なわれる可能性を高めるためのオフロード処理を行うためのオフロード処理部を備える。
【００２４】
このような構成により、通信先変更動作を行なわなかった無線端末装置に対して通信先変更動作を実効的に働きかけることができるので、通信トラヒックの分散をより確実に行うことができる。
【００２５】
（３）より好ましくは、上記オフロード処理部は、上記オフロード処理として、上記無線端末装置が上記無線通信部と無線信号を送信または受信する際に用いるリソースの割り当て量を小さくする。
【００２６】
このように、無線端末装置に対する無線リソースの割り当て量を減少させることにより、通信トラヒックを増加させるための通信先変更動作を無線端末装置において行うことが必要な状況を作り出すことができる。
【００２７】
また、無線基地局装置は、自己および無線端末装置間の通信トラヒックを主導的に減少させることができる。
【００２８】
（４）より好ましくは、上記オフロード処理部は、上記オフロード処理として、上記無線通信部が上記無線端末装置へ送信する無線信号の電力を小さくする。
【００２９】
このように、無線基地局装置からの無線信号の無線端末装置における受信電力を小さくすることにより、通信トラヒックを増やすための通信先変更動作を無線端末装置において行うことが必要な状況を作り出すことができる。
【００３０】
（５）より好ましくは、上記オフロード処理部は、上記オフロード処理として、上記無線端末装置が自己の無線基地局装置と送信または受信する通信データの種類を制限する。
【００３１】
このように、無線端末装置および無線基地局装置間において送受信される通信データの種類を制限することにより、通信トラヒックを増やすための通信先変更動作を無線端末装置において行うことが必要な状況を作り出すことができる。
【００３２】
（６）より好ましくは、上記無線基地局装置は、さらに、上記オフロード処理を行う旨を上記無線端末装置に通知するためのオフロード処理通知部を備え、上記オフロード処理部は、上記オフロード処理通知部によって上記オフロード処理を行う旨が通知された後に上記オフロード処理を実行する。
【００３３】
このような構成により、切替え促進処理が行われることを無線端末装置において把握することができるので、当該無線端末装置は当該切替え促進処理に先んじて通信先変更動作を開始することができる。これにより、当該無線端末装置おける通信先変更動作を安定して完了させることができる。
【００３４】
また、切替え促進処理の実行による通信環境の悪化が当該無線端末装置において発生してしまうことを抑制することができるので、当該無線端末装置を利用するユーザの使用感が損なわれてしまうことを防ぐことができる。
【００３５】
（７）好ましくは、上記無線基地局装置は、さらに、自己の無線基地局装置との間で無線端末装置のハンドオーバ動作を実行する機能を有していない無線通信装置と無線端末装置とが通信可能であるか否かを示す端末能力情報を取得するための端末能力情報取得部を備え、上記オフロード促進部は、上記無線端末装置が上記無線通信装置と通信可能であることを上記端末能力情報が示す場合に、上記無線端末装置に対して上記通信先変更動作を促す。
【００３６】
このような構成により、無線通信装置と無線通信を行う能力を有しない無線端末装置に対して、通信先変更動作を促してしまうことを防ぐことができる。
【００３７】
また、無線端末装置が無線通信装置と無線通信を行う能力を有する場合において、無線基地局装置は、当該無線端末装置に対して通信先を適切に指定することができる。
【００３８】
（８）好ましくは、上記無線基地局装置は、さらに、自己の無線基地局装置との間で無線端末装置のハンドオーバ動作を実行する機能を有していない無線通信装置の通信トラヒックを示すトラヒック情報を取得するためのトラヒック情報取得部を備え、上記オフロード促進部は、上記トラヒック情報の示す通信トラヒックが所定条件を満たす場合に、上記無線端末装置に対して上記通信先変更動作を促す。
【００３９】
このような構成により、無線通信装置における通信トラヒックに応じて、無線端末装置に対して通信先変更動作を促すことができるので、通信システムにおける通信トラヒックを適切に分散させることができる。
【００４０】
これにより、たとえば無線端末装置が通信トラヒックの大きい無線通信装置へ通信先を変更してしまうことを防ぐことができるので、当該無線端末装置におけるスループットの減少を抑制することができる。
【００４１】
また、当該無線通信装置において通信トラヒックが集中してしまうことを防ぐことができるので、通信システムにおける通信の安定化を図ることができる。
【００４２】
（９）好ましくは、上記無線基地局装置は、さらに、自己の無線基地局装置との間で無線端末装置のハンドオーバ動作を実行する機能を有していない無線通信装置の属性を示す装置情報を上記無線端末装置に通知するための装置情報通知部を備える。
【００４３】
このような構成により、無線端末装置は、自己の周辺に位置する無線通信装置の装置情報を取得することができるので、通信先として適切な無線通信装置を選択することができる。
【００４４】
（１０）より好ましくは、上記無線基地局装置は、さらに、自己の無線基地局装置との間で無線端末装置のハンドオーバ動作を実行する機能を有していない無線通信装置が形成するエリアであって、上記無線通信装置と無線端末装置とが通信可能なエリアの位置を示す位置情報を含む上記装置情報を上記無線端末装置に通知するための位置情報通知部を備える。
【００４５】
このような構成により、無線端末装置は、無線通信装置の位置およびエリアサイズを把握することができるので、無線通信装置と通信接続を適切に行うことが可能か否かについて速やかに判断することができる。
【００４６】
これにより、たとえば無線端末装置が無線通信装置と通信接続を行うことができない場合、当該無線端末装置による無線通信装置からの無線信号の受信電力の測定を停止させることができるので、当該無線端末装置における消費電力の増大を抑制することができる。
【００４７】
（１１）好ましくは、上記無線基地局装置は、さらに、自己の無線基地局装置との間で無線端末装置のハンドオーバ動作を実行する機能を有していない無線通信装置と無線端末装置との間の通信品質を示す通信品質情報を取得するための通信品質情報取得部を備え、上記オフロード促進部は、上記通信品質情報の示す通信品質が所定条件を満たす場合に、上記無線端末装置に対して上記通信先変更動作を促す。
【００４８】
このような構成により、たとえば無線端末装置における通信品質がよい場合に当該無線端末装置に対して通信先変更動作を促すことができる。
【００４９】
これにより、当該無線端末装置は、無線基地局装置により通信先変更動作を促された場合、品質のよい通信を行うことが可能な無線通信装置に通信先を速やかに変更することができる。
【００５０】
（１２）好ましくは、上記無線基地局装置は、さらに、自己の無線基地局装置との間で無線端末装置のハンドオーバ動作を実行する機能を有していない無線通信装置と無線端末装置との通信接続状態を示す通信接続情報を取得するための通信接続情報取得部を備える。
【００５１】
このように、無線端末装置に対して通信先変更動作を促すか否かを判断する構成により、無線基地局装置は、たとえば無線通信装置との通信接続が確立している無線端末装置に対して無駄に通信先変更動作を促してしまうことを防ぐことができる。
【００５２】
（１３）上記課題を解決するために、この発明のある局面に係わる無線基地局装置は、無線端末装置と無線信号を送受信するための無線通信部と、自己の無線基地局装置との間で無線端末装置のハンドオーバ動作を実行する機能を有していない無線通信装置と無線端末装置とが通信可能であるか否かを示す端末能力情報を、上記無線通信部を介して上記無線端末装置から取得するための端末能力情報取得部とを備える。
【００５３】
このような構成により、無線通信装置と無線通信を行う能力を有しない無線端末装置に対して、通信先変更動作を促してしまうことを防ぐことができる。
【００５４】
また、無線端末装置が無線通信装置と無線通信を行う能力を有する場合において、無線基地局装置は、当該無線端末装置に対して通信先を適切に指定することができる。
【００５５】
そして、通信先を適切に指定することにより、無線端末装置において通信先変更動作が行われると、当該無線端末装置および無線基地局装置間において通信トラヒックの集中が発生してしまう確率を下げることができるので、通信システムにおける通信の安定化を図ることができる。
【００５６】
（１４）上記課題を解決するために、この発明のある局面に係わる無線基地局装置は、無線端末装置と無線信号を送受信するための無線通信部と、自己の無線基地局装置との間で無線端末装置のハンドオーバ動作を実行する機能を有していない無線通信装置の属性を示す装置情報を、上記無線通信部を介して無線端末装置に通知するための装置情報通知部とを備える。
【００５７】
このような構成により、無線端末装置は、自己の周辺に位置する無線通信装置の装置情報を取得することができるので、通信先として適切な無線通信装置を選択することができる。
【００５８】
そして、無線通信装置を適切に選択することにより、無線端末装置において通信先変更動作が行われると、当該無線端末装置および無線基地局装置間において通信トラヒックの集中が発生してしまう確率を下げることができるので、通信システムにおける通信の安定化を図ることができる。
【００５９】
また、無線端末装置は、無線通信装置の位置およびエリアサイズを把握することができるので、無線通信装置と通信接続を行うことができるか否かについて把握することができる。
【００６０】
これにより、無線端末装置は、無線通信装置と通信接続を行うことができない場合、無線通信装置からの無線信号の受信電力の測定を停止することができるので、消費電力の増大を抑制することができる。
【００６１】
（１５）上記課題を解決するために、この発明のある局面に係わる無線基地局装置は、無線端末装置と無線信号を送受信するための無線通信部と、上記無線通信部と無線信号を送受信することにより自己の無線基地局装置を介して他の装置との間で通信データを送受信している無線端末装置に対して、自己の無線基地局装置の代わりに、自己の無線基地局装置とは異なる無線通信方式に従う無線通信装置と無線信号を送受信することにより上記無線通信装置を介して他の装置との間で通信データを送受信する通信先変更動作が行なわれる可能性を高めるためのオフロード処理を行うためのオフロード処理部とを備える。
【００６２】
このような構成により、通信先変更動作を行なわなかった無線端末装置に対して通信先変更動作を実効的に働きかけることができるので、通信トラヒックの分散をより確実に行うことができる。
【００６３】
そして、通信トラヒックの分散をより確実に行うことにより無線端末装置において通信先変更動作が行われると、当該無線端末装置および無線基地局装置間において通信トラヒックの集中が発生してしまう確率を下げることができるので、通信システムにおける通信の安定化を図ることができる。
【００６４】
（１６）上記課題を解決するために、この発明のある局面に係わる無線基地局装置は、無線端末装置と無線信号を送受信するための無線通信部と、自己の無線基地局装置との間で無線端末装置のハンドオーバ動作を実行する機能を有していない無線通信装置と信号を送受信するためのネットワーク通信部と、上記無線通信装置の通信トラヒックを示すトラヒック情報を上記ネットワーク通信部を介して取得するためのトラヒック情報取得部とを備える。
【００６５】
このような構成により、無線通信装置における通信トラヒックが大きいか否かについて把握することができる。
【００６６】
そして、無線通信装置における通信トラヒックが大きいことを把握することにより、無線端末装置に対して適切に通信先変更動作を促すことができるので、当該無線通信装置における通信トラヒックを適切に分散することができる。
【００６７】
これにより、無線通信装置における通信トラヒックの集中を防ぐことができるので、通信システムにおける通信の安定化を図ることができる。
【００６８】
また、無線端末装置が通信トラヒックの大きい無線通信装置へ通信先を変更してしまうことを防ぐことができるので、当該無線端末装置におけるスループットの減少を抑制することができる。
【００６９】
また、無線端末装置において無線通信装置を常に探索する必要がなくなることにより、通信システムにおける周波数の利用効率の改善、および無線端末装置における消費電力の削減を行うことができる。
【００７０】
（１７）上記課題を解決するために、この発明のある局面に係わる無線基地局装置は、無線端末装置と無線信号を送受信するための無線通信部と、自己の無線基地局装置との間で無線端末装置のハンドオーバ動作を実行する機能を有していない無線通信装置と信号を送受信するためのネットワーク通信部と、上記無線通信装置の属性を示す装置情報を上記ネットワーク通信部を介して取得するための装置情報取得部とを備える。
【００７１】
このような構成により、無線基地局装置は、無線通信装置の属性を適切に把握することができる。
【００７２】
そして、無線通信装置の属性を適切に把握することにより、無線基地局装置は、無線端末装置に対して通信先を適切に指定することができる。
【００７３】
これにより、無線端末装置において通信先変更動作が行われると、当該無線端末装置および無線基地局装置間において通信トラヒックの集中が発生してしまう確率を下げることができるので、通信システムにおける通信の安定化を図ることができる。
【００７４】
（１８）上記課題を解決するために、この発明のある局面に係わる無線端末装置は、無線基地局装置と無線信号を送受信するための通信部と、上記無線基地局装置との間で無線端末装置のハンドオーバ動作を実行する機能を有していない無線通信装置と、自己の無線端末装置とが上記通信部を介して通信可能であるか否かを示す端末能力情報を作成するための端末能力情報作成部と、上記端末能力情報を、上記通信部を介して上記無線基地局装置へ通知するための通知部とを備える。
【００７５】
このような構成により、無線基地局装置は、自己が形成するセルに在圏する無線端末装置が有する無線通信装置との無線通信の能力を適切に把握することができる。
【００７６】
そして、当該能力を把握することにより、無線基地局装置は、当該無線端末装置に対して通信先を適切に指定することができる。
【００７７】
これにより、無線端末装置において通信先変更動作が適切に行われると、当該無線端末装置および無線基地局装置間において通信トラヒックの集中が発生してしまう確率を下げることができるので、通信システムにおける通信の安定化を図ることができる。
【００７８】
（１９）上記課題を解決するために、この発明のある局面に係わる無線端末装置は、無線基地局装置と無線信号を送受信するための通信部と、上記無線基地局装置との間で無線端末装置のハンドオーバ動作を実行する機能を有していない無線通信装置と上記通信部を介して行う通信の品質を示す通信品質情報を取得するための通信品質情報取得部と、上記通信品質情報を、上記通信部を介して上記無線基地局装置へ通知するための通知部とを備える。
【００７９】
このような構成により、無線基地局装置は、自己が形成するセルに在圏する無線端末装置における無線通信装置との無線通信の通信品質を適切に把握することができる。
【００８０】
そして、当該通信品質を適切に把握することにより、無線基地局装置は、当該無線端末装置に対して品質よく通信を行うことが可能な通信先を適切に指定することができる。
【００８１】
これにより、無線端末装置において通信先変更動作が適切に行われると、当該無線端末装置および無線基地局装置間において通信トラヒックの集中が発生してしまう確率を下げることができるので、通信システムにおける通信の安定化を図ることができる。
【００８２】
（２０）上記課題を解決するために、この発明のある局面に係わる無線端末装置は、無線基地局装置と無線信号を送受信するための通信部と、自己の無線端末装置が他の装置との間で通信データを送受信するための上記通信データの中継装置を、上記無線基地局装置から、上記無線基地局装置との間で無線端末装置のハンドオーバ動作を実行する機能を有していない無線通信装置へ変更する通信先変更動作を行うための通信先変更処理部と、上記通信部を介して上記無線基地局装置から所定情報を取得した場合に、上記通信先変更処理部による上記通信先変更動作を実行可能とするための通信先変更許可部とを備える。
【００８３】
このような構成により、無線端末装置は、通信先変更動作を実行すべきタイミングを取得し、通信先変更動作が成功する可能性を高めることができる。
【００８４】
これにより、無線端末装置において通信先変更動作が適切に行われると、当該無線端末装置および無線基地局装置間において通信トラヒックの集中が発生してしまう確率を下げることができるので、通信システムにおける通信の安定化を図ることができる。
【００８５】
また、無線端末装置は、通信先変更動作が成功する可能性が低い場合に、当該通信先変更動作を次の実行すべきタイミングまで停止することができるので、当該無線端末装置における消費電力の低減を図ることができる。
【００８６】
（２１）上記課題を解決するために、この発明のある局面に係わる無線端末装置は、無線基地局装置と無線信号を送受信するための通信部と、上記無線基地局装置との間で無線端末装置のハンドオーバ動作を実行する機能を有していない無線通信装置が形成するエリアであって、上記無線通信装置と無線端末装置とが通信可能なエリアの位置を示すエリア位置情報を上記無線基地局装置から取得するための位置情報処理部と、自己の無線端末装置の位置を示す端末位置情報を取得するための端末位置取得部と、自己の無線端末装置が他の装置との間で通信データを送受信するための上記通信データの中継装置を、上記無線基地局装置から上記無線通信装置へ変更する通信先変更動作を行うための通信先変更処理部と、上記端末位置情報の示す自己の無線端末装置の位置が上記エリア位置情報の示すエリアに含まれるか否かを判断し、自己の無線端末装置の位置が上記エリアに含まれる場合に、上記通信先変更処理部による上記通信先変更動作を実行可能とするための通信先変更許可部とを備える。
【００８７】
このような構成により、無線端末装置は、通信先変更動作を実行すべきタイミングを取得し、通信先変更動作が成功する可能性を高めることができる。
【００８８】
これにより、無線端末装置において通信先変更動作が適切に行われると、当該無線端末装置および無線基地局装置間において通信トラヒックの集中が発生してしまう確率を下げることができるので、通信システムにおける通信の安定化を図ることができる。
【００８９】
また、無線端末装置は、通信先変更動作が成功する可能性が低い場合に、当該通信先変更動作を次の実行すべきタイミングまで停止することができるので、当該無線端末装置における消費電力の低減を図ることができる。
【００９０】
（２２）上記課題を解決するために、この発明のある局面に係わる無線通信装置は、無線端末装置と無線信号を送受信する無線基地局装置との間で無線端末装置のハンドオーバ動作を実行する機能を有していない無線通信装置であって、無線端末装置と無線信号を送受信するための無線通信部と、上記無線通信部を介して受信した通信データを他の装置へ送信し、かつ上記無線通信部を介して無線端末装置へ送信するための通信データを他の装置から受信するためのネットワーク通信部と、自己の無線通信装置と無線端末装置との間の通信トラヒックを示すトラヒック情報を取得するためのトラヒック情報取得部と、上記トラヒック情報を、上記ネットワーク通信部を介して上記無線基地局装置へ通知するための通知部とを備える。
【００９１】
このような構成により、無線基地局装置は、無線通信装置における通信トラヒックを適切に把握することができる。
【００９２】
そして、通信トラヒックを適切に把握することにより、無線基地局装置は、無線端末装置に対して通信先変更動作を適切に促すことができるので、当該無線通信装置における通信トラヒックを適切に分散することができる。
【００９３】
これにより、無線通信装置における通信トラヒックの集中を防ぐことができるので、通信システムにおける通信の安定化を図ることができる。
【００９４】
また、無線端末装置において無線通信装置を常に探索する必要がなくなることにより、通信システムにおける周波数の利用効率の改善、および無線端末装置における消費電力の削減を行うことができる。
【００９５】
（２３）上記課題を解決するために、この発明のある局面に係わる無線通信装置は、無線端末装置と無線信号を送受信する無線基地局装置との間で無線端末装置のハンドオーバ動作を実行する機能を有していない無線通信装置であって、無線端末装置と無線信号を送受信するための無線通信部と、上記無線通信部を介して受信した通信データを他の装置へ送信し、かつ上記無線通信部を介して無線端末装置へ送信するための通信データを他の装置から受信するためのネットワーク通信部と、自己の無線通信装置の属性を示す装置情報を、上記ネットワーク通信部を介して上記無線基地局装置へ通知するための通知部とを備える。
【００９６】
このような構成により、無線基地局装置は、無線通信装置の属性を適切に把握することができる。
【００９７】
そして、無線通信装置の属性を把握することにより、無線基地局装置は、無線端末装置に対して通信先を適切に指定することができる。
【００９８】
これにより、無線端末装置において通信先変更動作が行われると、当該無線端末装置および無線基地局装置間において通信トラヒックの集中が発生してしまう確率を下げることができるので、通信システムにおける通信の安定化を図ることができる。
【００９９】
（２４）上記課題を解決するために、この発明のある局面に係わる通信制御方法は、無線基地局装置における通信制御方法であって、無線端末装置と無線信号を送受信することにより、上記無線端末装置による自己の無線基地局装置を介した他の装置との間の通信データの送受信を可能とするステップと、自己の無線基地局装置の代わりに、自己の無線基地局装置とは異なる無線通信方式に従う無線通信装置と無線信号を送受信することにより上記無線通信装置を介して他の装置との間で通信データを送受信する通信先変更動作を上記無線端末装置に促すステップとを含む。
【０１００】
このような構成により、無線端末装置における通信先変更動作が促されるので、無線端末装置および無線基地局装置間における通信トラヒックを、当該無線端末装置および無線通信装置間へ退避させ、通信システムにおける通信トラヒックの分散を図ることができる。
【０１０１】
これにより、当該無線端末装置および無線基地局装置間において通信トラヒックの集中が発生してしまう確率を下げることができるので、通信システムにおける通信の安定化を図ることができる。
【０１０２】
また、無線端末装置において無線通信装置を常に探索する必要がなくなることにより、通信システムにおける周波数の利用効率の改善、および無線端末装置における消費電力の削減を行うことができる。
【０１０３】
（２５）上記課題を解決するために、この発明のある局面に係わる通信制御プログラムは、無線基地局装置において用いられる通信制御プログラムであって、コンピュータに、無線端末装置と無線信号を送受信することにより、上記無線端末装置による自己の無線基地局装置を介した他の装置との間の通信データの送受信を可能とするステップと、自己の無線基地局装置の代わりに、自己の無線基地局装置とは異なる無線通信方式に従う無線通信装置と無線信号を送受信することにより上記無線通信装置を介して他の装置との間で通信データを送受信する通信先変更動作を上記無線端末装置に促すステップとを実行させるためのプログラムである。
【０１０４】
このような構成により、無線端末装置における通信先変更動作が促されるので、無線端末装置および無線基地局装置間における通信トラヒックを、当該無線端末装置および無線通信装置間へ退避させ、通信システムにおける通信トラヒックの分散を図ることができる。
【０１０５】
これにより、当該無線端末装置および無線基地局装置間において通信トラヒックの集中が発生してしまう確率を下げることができるので、通信システムにおける通信の安定化を図ることができる。
【０１０６】
また、無線端末装置において無線通信装置を常に探索する必要がなくなることにより、通信システムにおける周波数の利用効率の改善、および無線端末装置における消費電力の削減を行うことができる。
【発明の効果】
【０１０７】
本発明によれば、通信システムにおける通信トラヒックの制御を適切に行うことにより、通信の安定化を図ることができる。
【図面の簡単な説明】
【０１０８】
【図１】本発明の実施の形態に係る無線通信システムの構成を示す図である。
【図２】本発明の実施の形態に係る無線通信システムにおいて移動動作が行われる状況の一例を示す図である。
【図３】本発明の実施の形態に係る無線通信システムにおけるセル再選択動作のシーケンスの一例を示す図である。
【図４】本発明の実施の形態に係る無線通信システムにおけるアタッチ処理を示す図である。
【図５】本発明の実施の形態に係る無線通信システムにおけるハンドオーバ動作のシーケンスの一例を示す図である。
【図６】本発明の実施の形態に係る無線通信システムにおいて、無線基地局装置が形成するセル内およびアクセスポイントが形成する通信エリア内を無線端末装置が移動する際の移動経路の一例を示す図である。
【図７】本発明の実施の形態に係る無線通信システムにおいて、無線基地局装置が形成するセル内およびアクセスポイントが形成する通信エリア内を無線端末装置が移動する際の移動経路の他の一例を示す図である。
【図８】本発明の実施の形態に係るアクセスポイントの構成を示す図である。
【図９】本発明の実施の形態に係るアクセスポイントにおける制御部の構成を示す図である。
【図１０】本発明の実施の形態に係るアクセスポイント状態通知要求を示すメッセージの一例を示す図である。
【図１１】本発明の実施の形態に係るアクセスポイント状態応答を示すメッセージの一例を示す図である。
【図１２】本発明の実施の形態に係る無線基地局装置の構成を示す図である。
【図１３】本発明の実施の形態に係る無線基地局装置における制御部の構成を示す図である。
【図１４】本発明の実施の形態に係る端末能力照会のメッセージの一例を示す図である。
【図１５】本発明の実施の形態に係る端末能力照会に含まれる無線通信方式の種別の一例を示す図である。
【図１６】本発明の実施の形態に係る端末能力情報の一例を示す図である。
【図１７】本発明の実施の形態に係る端末無線通信方式格納部リストの一例を示す図である。
【図１８】本発明の実施の形態に係る端末無線通信方式格納部に含まれる無線通信方式の一例を示す図である。
【図１９】本発明の実施の形態に係るアクセスポイント情報を示すメッセージの一例を示す図である。
【図２０】本発明の実施の形態に係る状態通知を示すメッセージの一例を示す図である。
【図２１】本発明の実施の形態に係る通信先変更要求を示すメッセージの一例を示す図である。
【図２２】本発明の実施の形態に係る通信先変更応答を示すメッセージの一例を示す図である。
【図２３】本発明の実施の形態に係る無線端末装置の構成を示す図である。
【図２４】本発明の実施の形態に係る無線端末装置における制御部の構成を示す図である。
【図２５】本発明の実施の形態に係る無線通信システムにおいて、無線基地局装置によるアクセスポイントに関する情報を取得する動作の一例を示すシーケンス図である。
【図２６】本発明の実施の形態に係る無線通信システムにおいて、無線基地局装置による無線端末装置の能力に関する情報を取得する動作の一例を示すシーケンス図である。
【図２７】本発明の実施の形態に係る無線通信システムにおいて、無線基地局装置が無線端末装置に通信先変更動作を促す動作の一例を示すシーケンス図である。
【図２８】本発明の実施の形態に係る無線通信システムにおいて、無線基地局装置が切替え促進処理を実行する際の動作の一例を示すシーケンス図である。
【図２９】本発明の実施の形態に係る無線通信システムにおいて、アクセスポイントおよび無線端末装置の情報に基づく通信先変更動作を促す動作および切替え促進動作の一例を示すシーケンス図である。
【発明を実施するための形態】
【０１０９】
以下、本発明の実施の形態について図面を用いて説明する。なお、図中同一または相当部分には同一符号を付してその説明は繰り返さない。
【０１１０】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、セル再選択（Cell Reselection）を意味する。
【０１１１】
ハンドオーバとは、ある無線基地局装置との通信接続が確立した状態（接続確立状態）にある無線端末装置の通信接続先が他の無線基地局装置へ切り替えられることを意味する。
【０１１２】
セル再選択とは、アイドル状態の無線端末装置が今後通信を開始する、すなわち通話またはデータ通信を開始する際にどのセルを介して通信を行なうかを選択することを意味すし、たとえば３ＧＰＰ  ＴＳ  ３６．３０４に記載の内容が当てはまる。
【０１１３】
ハンドオーバ動作は、無線端末装置の通信接続先の無線基地局装置主導で行なわれる。一方、セル再選択は、無線端末装置主導で行なわれ、通常、無線基地局装置が無線端末装置に対して特に指示を与えることなく実行される。
【０１１４】
無線端末装置の「アイドル状態」とは、ある無線基地局装置を無線端末装置が通信相手として選択しており、かつ当該無線基地局装置と通信を行っていない状態である。また、「通信を行っていない状態」とは、当該無線基地局装置へ何らかの情報を送信する動作を行っていない状態である。
【０１１５】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【０１１６】
また、無線端末装置がセルに在圏している、とは、無線端末装置が、当該セルを形成する無線基地局装置を通信先として選択し、かつ当該無線基地局装置と通信可能な状態または通信中である状態を意味する。
【０１１７】
具体的には、たとえば、無線端末装置が新たなセルすなわち無線基地局装置へ移動したことを当該無線基地局装置の上位装置が登録した状態を意味する。
【０１１８】
また、「在圏」は、無線端末装置の属するトラッキングエリアの更新を上位装置が登録した状態を含むものとする。
【０１１９】
すなわち、無線端末装置は、新たなセルへ移動した場合、この移動によって自己の存在するトラッキングエリアすなわちページング処理の対象エリアが変わった場合には、トラッキングエリア更新処理を実行する。
【０１２０】
フェムトセルおよびアクセスモードは、３ＧＰＰ  ＳＰＥＣ  ＴＳ  ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１２１】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１２２】
本発明の実施の形態に係る無線通信システムにおいても、このような３ＧＰＰの定義を適用してもよい。
【０１２３】
また、上記定義と合わせて、あるいは別個に、以下のような定義を適用することも可能である。
【０１２４】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【０１２５】
また、フェムト基地局は、主に個人または法人の建物内に設置され、ユーザの事情により移動するまたは電源がオフとなる可能性がある無線基地局装置である。
【０１２６】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１２７】
［構成および基本動作］
図１は、本発明の実施の形態に係る無線通信システムの構成を示す図である。
【０１２８】
図１を参照して、無線通信システム４０１は、たとえば３ＧＰＰで規格化されたＬＴＥ（Long Term Evolution）に従う移動体通信システムを含み、無線基地局装置１０１Ａ，１０１Ｂ，１０１Ｃを備える。図１では、３つの無線基地局装置を代表的に示しているが、さらに多数の無線基地局装置が設けられてもよい。無線通信システム４０１は、さらに、コアネットワーク３０１に設けられたＳ−ＧＷ（Serving Gateway）１６１と、ＭＭＥ（Mobility Management Entity）１６２と、Ｐ−ＧＷ（Packet Data Network Gateway）１６３とを含む。
【０１２９】
無線端末装置２０２は、無線基地局装置１０１Ａ、無線基地局装置１０１Ｂまたは無線基地局装置１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【０１３０】
より詳細には、無線基地局装置１０１Ａ，１０１Ｂ，１０１Ｃは、無線信号を無線端末装置２０２と送受信することにより、無線端末装置２０２との通信を行なう。
【０１３１】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０１３２】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【０１３３】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【０１３４】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０１３５】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０１３６】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【０１３７】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０１３８】
また、無線通信システム４０１は、ＩＰ網３０２に接続された、Ｗｉ−Ｆｉに従う認証を受けた無線通信装置すなわちアクセスポイント１５１を備える。図１では、１つのアクセスポイントを代表的に示しているが、さらに多数のアクセスポイントが設けられてもよい。
【０１３９】
無線端末装置２０２は、アクセスポイント１５１を介してＩＰ網３０２におけるサーバ等と通信コネクションを確立し、たとえばＩＰパケットを含む通信データを送受信することも可能である。
【０１４０】
より詳細には、アクセスポイント１５１は、無線信号を無線端末装置２０２と送受信することにより、無線端末装置２０２との通信を行なう。
【０１４１】
アクセスポイント１５１は、無線端末装置２０２から受信した通信データをＩＰ網３０２へ送信するとともに、ＩＰ網３０２におけるサーバ等から受信した通信データを無線端末装置２０２へ送信する。
【０１４２】
図２は、本発明の実施の形態に係る無線通信システムにおいて移動動作が行なわれる状況の一例を示す図である。
【０１４３】
図２を参照して、無線基地局装置１０１Ａ，１０１Ｂ，１０１Ｃは、たとえばフェムト基地局、ピコ基地局またはマクロ基地局である。
【０１４４】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０１４５】
ここで、無線端末装置２０２からコアネットワーク３０１への方向を上り方向と称し、コアネットワーク３０１から無線端末装置２０２への方向を下り方向と称する。また、無線基地局装置１０１Ａ，１０１Ｂ，１０１Ｃの各々を、無線基地局装置１０１とも称する。
【０１４６】
［セル再選択動作の一例］
本発明の実施の形態に係る無線通信システムにおける無線基地局装置、無線通信装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【０１４７】
以下、無線端末装置２０２の移動元の無線基地局装置をサービング基地局とも称し、移動先の無線基地局装置をターゲット基地局とも称する。また、以下では、無線基地局装置１０１Ａがサービング基地局であり、無線基地局装置１０１Ｂがターゲット基地局である場合について説明する。
【０１４８】
本発明の実施の形態に係る無線基地局装置では、セル再選択の実行判断に電力測定処理（Measurement）を利用する。この電力測定処理は、たとえば３ＧＰＰでは、レイヤ３スタックのＲＲＣ（Radio Resource Control）に対応する。
【０１４９】
ここで、３ＧＰＰ  ＴＳ  ３６．１３３  ４．２．２．１章では、セル再選択のためのサービングセルの測定周期について、以下のように記載されている。すなわち、無線端末装置２０２は、少なくともＤＲＸ（Discontinuous Reception）サイクルごとに、サービングセルのＲＳＲＰ（Reference Signal Received Power）レベルを測定し、ＴＳ  ３６．３０４で定義されるＳ値（Cell Selection Criterion S）とＲＳＲＰレベルとを比較する。
【０１５０】
無線端末装置２０２は、サービングセルの測定結果を、少なくとも２回の測定でフィルタリングする。このフィルタリングは、平均化であると考えられる。
【０１５１】
フィルタリング対象となる上記測定の組のうち、少なくとも２回の測定は、少なくともＤＲＸサイクルの１／２の間隔を空けて実行しなければならない。これは、測定間隔をＤＲＸサイクルの１／２以上にしなければならないことを意味する、と考えられる。
【０１５２】
ここで、３ＧＰＰ  ＴＳ  ３６．１３３  ４．２．２．１章の表４．２．２．１−１では、ＤＲＸサイクル長［秒］とＤＲＸサイクル数Ｎｓｅｒｖとの対応関係が示されている。具体的には、ＤＲＸサイクル長が０．３２秒、０．６４秒、１．２８秒および２．５６秒のとき、ＤＲＸサイクル数Ｎｓｅｒｖがそれぞれ４，４，２，２である。
【０１５３】
無線端末装置２０２は、Ｎｓｅｒｖ回の連続したＤＲＸサイクルにおいて、サービングセルがＳ値を満たしていない場合には、自己の測定（Measurement）機能が何らかの規制により制限されていない限り、サービング基地局から指定されたすべての周辺セルの測定を開始する。すなわち、無線端末装置２０２は、一定期間経過すれば、Ｓ値が条件を満たしていなくても周辺セルの測定を開始する。
【０１５４】
このような３ＧＰＰ  ＴＳ  ３６．１３３の記載から、サービングセルの測定周期として最短でも０．１６秒（１６０ｍｓ）が必要となり、上記のようなＳ値の判定には少なくとも２回の測定が必要となる。このため、周辺セルの測定開始判断には、実質０．３２秒（３２０ｍｓ）以上の間隔が必要になる。
【０１５５】
また、Ｓ値が条件を満たしていない状態で周辺セルの測定を開始する場合、周辺セルの測定開始判断には０．３２秒×４回＝１．２８秒の間隔が必要になる。
【０１５６】
３ＧＰＰ  ＴＳ  ３６．１３３  ４．２．２．１章では、ＲＳＲＰについてのみ記載されているが、ＲＳＲＱ（Reference Signal Receive Quality）についてもＲＲＣに従って測定されることから、ＲＳＲＰと同様であると考えられる。
【０１５７】
図３は、本発明の実施の形態に係る無線通信システムにおけるセル再選択動作のシーケンスの一例を示す図である。
【０１５８】
ここでは、図２に示すように、無線端末装置２０２が、セルＣＡ内に位置し、無線基地局装置１０１Ａを通信相手として選択してから、セルＣＡおよびセルＣＢの重複領域へ移動した場合を想定する。
【０１５９】
再び図３を参照して、まず、無線端末装置２０２は、無線基地局装置１０１Ａを新たに通信相手として選択することを決定すると、無線基地局装置１０１Ａから送信される報知情報を受信し（ステップＳ１）、受信した報知情報の内容を保存する（ステップＳ２）。この報知情報に、周辺セル情報、およびセル再選択を行なうための情報が含まれる。
【０１６０】
次に、無線端末装置２０２は、コアネットワーク３０１におけるＭＭＥ１６２等に対して新たなセルＣＡへ移動したことを通知するため、端末登録処理であるアタッチ処理（Attach Procedure）を実行する（ステップＳ３）。
【０１６１】
次に、無線端末装置２０２は、サービング基地局である無線基地局装置１０１Ａから送信される無線信号の受信電力の測定を開始する。すなわち、無線端末装置２０２は、サービングセルの受信電力の測定を行なう。たとえば、無線端末装置２０２は、当該無線信号に含まれるパイロット信号を用いて受信電力を測定する。この測定周期は、たとえば０．１６秒である（ステップＳ４）。
【０１６２】
次に、無線端末装置２０２は、サービングセルの評価値であるＳ値を算出し、Ｓ値判定を行なう（ステップＳ５）。
【０１６３】
無線端末装置２０２は、サービングセルのＳ値が所定条件を満たす場合には（ステップＳ５でＹＥＳ）、報知情報の示す周波数において、報知情報の示す周辺基地局から送信される無線信号の受信電力の測定を開始する。ここで、周辺基地局は、サービング基地局以外の他の無線基地局装置１０１を示す。すなわち、無線端末装置２０２は、サービングセルに加えて、周辺セルの受信電力の測定を行なう。たとえば、無線端末装置２０２は、当該無線信号に含まれるパイロット信号を用いて受信電力を測定する（ステップＳ６）。
【０１６４】
次に、無線端末装置２０２は、周辺セルの評価値であるＳ値を算出し、Ｓ値判定を行なう（ステップＳ７）。
【０１６５】
無線端末装置２０２は、周辺セルのＳ値が所定条件を満たす場合には（ステップＳ７でＹＥＳ）、サービングセルおよび周辺セルの測定結果を用いて、サービングセルおよび周辺セルをたとえば受信電力品質の良い順に順位付けする（ステップＳ８）。
【０１６６】
次に、無線端末装置２０２は、順位付けの結果、最上位のセルがサービングセルでは無かった場合には（ステップＳ９でＹＥＳ）、当該最上位セルへのセル再選択を行なう。すなわち、無線端末装置２０２は、最上位の周辺セルに対応する無線基地局装置、たとえば無線基地局装置１０１Ｂを新たに通信相手として選択することを決定する。そして、無線端末装置２０２は、無線基地局装置１０１Ｂからの報知情報を受信し（ステップＳ１０）、受信した報知情報の内容を保存する（ステップＳ１１）。
【０１６７】
次に、無線端末装置２０２は、コアネットワークにおけるＭＭＥ等に対して新たなセルＣＢへ移動したことを通知するため、端末登録処理であるアタッチ処理を実行する（ステップＳ１２）。
【０１６８】
［アタッチ処理の一例］
図４は、本発明の実施の形態に係る無線通信システムにおけるアタッチ処理を示す図である。図４は、図３におけるステップＳ３またはステップＳ１２の動作を詳細に示している。
【０１６９】
図４を参照して、無線端末装置２０２は、ある無線基地局装置１０１を新たな通信相手として選択すべきであると判断すると、ＲＲＣ（Radio Resource Control）コネクション要求（RRC Connection Request）を無線基地局装置１０１へ送信する（ステップＳ２１）。
【０１７０】
次に、無線基地局装置１０１は、無線端末装置２０２からＲＲＣコネクション要求を受信して、ＲＲＣコネクション情報（RRC Connection Setup）を無線端末装置２０２へ送信する（ステップＳ２２）。
【０１７１】
次に、無線端末装置２０２は、無線基地局装置１０１からＲＲＣコネクション情報を受信して、ＲＲＣコネクション完了通知（RRC Connection Setup Complete）を送信する（ステップＳ２３）。
【０１７２】
次に、無線基地局装置１０１は、無線端末装置２０２からＲＲＣコネクション完了通知を受信して、無線端末装置２０２から受信したアタッチ要求（Attach Request）をＭＭＥ１６２へ送信する。このアタッチ要求は、たとえば、無線端末装置２０２からのＲＲＣコネクション完了通知に含まれる。また、アタッチ要求は、無線端末装置２０２が、あるセルに新たに移動したいので、ＭＭＥ１６２に対して通信許可を要求するために送信される情報である（ステップＳ２４）。
【０１７３】
次に、ＭＭＥ１６２は、認証要求（Authentication Request）を無線基地局装置１０１へ送信する（ステップＳ２５）。
【０１７４】
次に、無線基地局装置１０１は、下り情報を無線端末装置２０２へ送信する。この下り情報に、たとえばＭＭＥ１６２からの認証要求の情報が含まれる（ステップＳ２６）。
【０１７５】
次に、無線端末装置２０２は、上り情報を無線基地局装置１０１へ送信する。この上り情報に、たとえばＭＭＥ１６２への認証応答の情報が含まれる（ステップＳ２７）。
【０１７６】
次に、無線基地局装置１０１は、ＭＭＥ１６２から受信した認証要求に対する認証応答をＭＭＥ１６２へ送信する（ステップＳ２８）。
【０１７７】
次に、ＭＭＥ１６２は、ＮＡＳ（Non-Access Stratum）層のセキュリティ処理として、セキュリティ情報（NAS Security Mode Command）を無線基地局装置１０１へ送信する（ステップＳ２９）。
【０１７８】
次に、無線基地局装置１０１は、下り情報を無線端末装置２０２へ送信する（ステップＳ３０）。
【０１７９】
次に、無線端末装置２０２は、上り情報を無線基地局装置１０１へ送信する（ステップＳ３１）。
【０１８０】
次に、無線基地局装置１０１は、ＭＭＥ１６２から受信したセキュリティ情報に対するセキュリティ完了通知（NAS Security Mode Complete）をＭＭＥ１６２へ送信する（ステップＳ３２）。
【０１８１】
次に、ＭＭＥ１６２は、無線基地局装置１０１からセキュリティ完了通知を受信して、アタッチ受諾（Attach Accept）を無線基地局装置１０１へ送信する（ステップＳ３３）。
【０１８２】
次に、無線基地局装置１０１は、ＭＭＥ１６２からアタッチ受諾を受信して、セキュリティ情報（Security Mode Command）を無線端末装置２０２へ送信する（ステップＳ３４）。
【０１８３】
次に、無線端末装置２０２は、無線基地局装置１０１からセキュリティ情報を受信して、セキュリティ完了通知（Security Mode Complete）を無線基地局装置１０１へ送信する（ステップＳ３５）。
【０１８４】
次に、無線基地局装置１０１は、無線端末装置２０２へＲＲＣ（Radio Resource Control）コネクション再構成指示（RRC Connection Reconfiguration）を送信する（ステップＳ３６）。
【０１８５】
次に、無線端末装置２０２は、無線基地局装置１０１へＲＲＣコネクション再構成完了通知（RRC Connection Reconfiguration Complete）を送信する（ステップＳ３７）。
【０１８６】
次に、無線基地局装置１０１は、無線端末装置２０２からＲＲＣコネクション再構成完了通知を受信して、アタッチ完了通知（Attach Complete）を送信する（ステップＳ３８）。
【０１８７】
次に、ＭＭＥ１６２は、無線基地局装置１０１からアタッチ完了通知を受信して、端末情報解放指示（UE Context Release Command）を無線基地局装置１０１へ送信する（ステップＳ３９）。
【０１８８】
次に、無線基地局装置１０１は、ＭＭＥ１６２から端末情報解放指示を受信して、ＲＲＣコネクション解放要求（RRC Connection Release）を無線端末装置２０２へ送信する。これにより、無線端末装置２０２は、アイドル状態となる（ステップＳ４０）。
【０１８９】
次に、無線基地局装置１０１は、端末情報解放完了通知（UE Context Release Complete）をＭＭＥ１６２へ送信する（ステップＳ４１）。
【０１９０】
［ハンドオーバ動作の一例］
図５は、本発明の実施の形態に係る無線通信システムにおけるハンドオーバ動作のシーケンスの一例を示す図である。
【０１９１】
ここでは、図２に示すように、無線端末装置２０２が、セルＣＡ内に位置し、無線基地局装置１０１Ａと通信中である状態から、セルＣＡおよびセルＣＢの重複領域へ移動した場合を想定する。
【０１９２】
以下では、無線基地局装置１０１Ａがサービング基地局であり、無線基地局装置１０１Ｂがターゲット基地局である場合について説明する。
【０１９３】
再び図５を参照して、まず、無線基地局装置１０１Ａは、自己と通信中の無線端末装置２０２の測定対象となる周波数と、当該周波数の無線信号を送信する他の無線基地局装置とを設定する（ステップＳ５１）。
【０１９４】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ５２）。
【０１９５】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ５３）。
【０１９６】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ５４）。
【０１９７】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５５）。
【０１９８】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ５６）。
【０１９９】
次に、無線基地局装置１０１Ａは、無線基地局装置１０１Ｂを示すハンドオーバ要求を上位装置へ送信する（ステップＳ５７）。
【０２００】
次に、上位装置は、無線基地局装置１０１Ａからハンドオーバ要求を受信して、無線基地局装置１０１Ｂへ当該ハンドオーバ要求を送信する（ステップＳ５８）。
【０２０１】
次に、無線基地局装置１０１Ｂは、上位装置からハンドオーバ要求を受信して、上位装置へ当該ハンドオーバ要求に対するハンドオーバ応答を送信する（ステップＳ５９）。
【０２０２】
次に、上位装置は、無線基地局装置１０１Ｂからハンドオーバ応答を受信して、無線基地局装置１０１Ａへハンドオーバ指示を送信する（ステップＳ６０）。
【０２０３】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ６１）。
【０２０４】
次に、無線基地局装置１０１Ａは、上位装置へ自己の通信状態等を示す状態通知を送信する（ステップＳ６２）。
【０２０５】
次に、上位装置は、無線基地局装置１０１Ａから状態通知を受信して、無線基地局装置１０１Ｂへ無線端末装置２０２との通信内容等を示す状態通知を送信する（ステップＳ６３）。
【０２０６】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ６４）。
【０２０７】
次に、無線基地局装置１０１Ｂは、無線端末装置２０２からＲＲＣコネクション再構成完了通知を受信して、上位装置へハンドオーバ完了通知を送信する（ステップＳ６５）。
【０２０８】
次に、上位装置は、無線基地局装置１０１Ｂからハンドオーバ完了通知を受信して、端末情報解放指示を無線基地局装置１０１Ａへ送信する（ステップＳ６６）。
【０２０９】
次に、無線基地局装置１０１Ａは、上位装置から端末情報解放指示を受信して、無線端末装置２０２に関する情報を解放し、上位装置へ端末情報解放完了通知を送信する（ステップＳ６７）。
【０２１０】
［アクセスポイントを含むセルにおける通信動作］
図６は、本発明の実施の形態に係る無線通信システムにおいて、無線基地局装置が形成するセル内およびアクセスポイントが形成する通信エリア内を無線端末装置が移動する際の移動経路の一例を示す図である。
【０２１１】
図６を参照して、無線基地局装置１０１Ａは、セルＣＡを形成する。また、アクセスポイント１５１Ｂは、通信エリアＡＢを形成する。通信エリアＡＢは、セルＣＡに含まれる。
【０２１２】
まず、無線端末装置２０２Ａは、セルＣＡ内かつ通信エリアＡＢ外にある地点Ｓ１において、たとえば無線基地局装置１０１Ａと接続確立状態にある。より詳細には、無線端末装置２０２Ａは、無線基地局装置１０１Ａと無線信号の送受信することにより、無線基地局装置１０１Ａを介して通信データを他の装置と送受信する。
【０２１３】
この場合における通信データは、たとえば音声情報、画像情報および文字情報等のデータ情報および着信および発信等の呼制御に関する呼制御情報を含む。
【０２１４】
次に、無線端末装置２０２Ａは、地点Ｓ１から通信エリアＡＢの境界上における地点Ｍ１へ、無線基地局装置１０１Ａとの接続確立状態を維持しながら移動する（ステップＳ１０２）。
【０２１５】
アクセスポイント１５１が形成する通信エリアとは、当該通信エリア内に位置する無線端末装置２０２および当該アクセスポイント１５１が無線信号による通信を行うことが可能な領域を意味する。
【０２１６】
この場合における通信とは、当該無線端末装置２０２および当該アクセスポイント１５１間において、データ情報を送受信するデータ通信を意味する。従って、当該通信には、呼制御情報および通話データを送受信する通話通信は含まれない。
【０２１７】
無線端末装置２０２が無線基地局装置１０１およびアクセスポイント１５１と同時に通信を行うことができる場合、当該無線端末装置２０２を、以下デュアルモード端末と称する。
【０２１８】
また、無線端末装置２０２が無線基地局装置１０１およびアクセスポイント１５１と同時に通信を行うことができない、すなわちあるタイミングにおいて無線基地局装置１０１またはアクセスポイント１５１のいずれかのみとしか通信を行うことができない場合、当該無線端末装置２０２を、以下シングルモード端末と称する。
【０２１９】
無線端末装置２０２Ａは、たとえばアクセスポイント１５１との無線通信を行うためのＷｉ−Ｆｉ接続機能を有している。Ｗｉ−Ｆｉ接続機能とは、アクセスポイント１５１からの無線信号の有無を監視し、当該無線信号を検出すると当該アクセスポイント１５１と接続する機能を意味する。
【０２２０】
Ｗｉ−Ｆｉ接続機能が動作するか否かは、たとえば無線端末装置２０２を使用するユーザによる設定または当該無線端末装置２０２にインストールされたアプリケーションにより決定される。
【０２２１】
すなわち、無線端末装置２０２がアクセスポイント１５１とデータ通信を行うか否かは、当該無線端末装置２０２により決定される。
【０２２２】
たとえば無線端末装置２０２Ａでは、Ｗｉ−Ｆｉ接続機能がオンに設定されている。
【０２２３】
無線端末装置２０２Ａは、アクセスポイント１５１からの無線信号の有無を監視しながら地点Ｍ１へ向けて移動し、地点Ｍ１へ到着するとアクセスポイント１５１Ｂからの無線信号を検出し、アクセスポイント１５１Ｂに対して通信接続を確立することを試みる。
【０２２４】
そして、無線端末装置２０２Ａは、アクセスポイント１５１Ｂとの通信接続が確立した接続確立状態となると、アクセスポイント１５１Ｂとデータ通信を開始する。
【０２２５】
この結果、無線端末装置２０２Ａは、アクセスポイント１５１Ｂと無線信号の送受信を行うことにより、アクセスポイント１５１Ｂを介して通信データを他の装置と送受信する。
【０２２６】
また、無線端末装置２０２Ａは、無線基地局装置１０１Ａとの接続確立状態を維持する。
【０２２７】
なお、無線端末装置２０２が無線基地局装置１０１との接続確立状態を維持したままデータ通信先を当該無線基地局装置１０１からアクセスポイント１５１へ変更することを、以下「切替え」または「通信先変更」と称する。ハンドオーバ動作および切替え動作の相違点を以下に示す。
【０２２８】
すなわち、ハンドオーバ動作は、無線端末装置２０２と接続確立状態にある無線基地局装置１０１により制御される。当該無線基地局装置１０１は、ハンドオーバ動作において、当該無線端末装置２０２の通信接続先を自己から他の無線基地局装置１０１へ変更する。
【０２２９】
この結果、当該無線端末装置２０２は、当該他の無線基地局装置１０１と接続確立状態になる。
【０２３０】
一方、切替え動作は、無線基地局装置１０１と接続確立状態にある無線端末装置２０２により制御される。
【０２３１】
当該無線端末装置２０２は、切替え動作において、当該無線基地局装置１０１との接続確立状態を維持したまま、すなわちＲＲＣコネクションを確立したままアクセスポイント１５１との通信接続を確立する。
【０２３２】
より詳細には、当該無線端末装置２０２は、切替え動作において、呼制御通信先を変えずにデータ通信先を当該無線基地局装置１０１からアクセスポイント１５１へ変更する。
【０２３３】
また、当該無線端末装置２０２がデータ通信先を当該アクセスポイント１５１へ切替えても、当該無線端末装置２０２および当該アクセスポイント１５１間で通話通信が可能となるわけではない。
【０２３４】
従って、切替え動作はハンドオーバ動作と異なるものであり、アクセスポイント１５１は、無線基地局装置１０１との間で無線端末装置２０２のハンドオーバ動作を実行する機能を有していないといえる。
【０２３５】
また、切替え動作は無線端末装置２０２が主導する動作であるため、アクセスポイント１５１または無線基地局装置１０１が無線端末装置２０２に対して強制的に切替え動作を実行させることはできない。
【０２３６】
次に、無線端末装置２０２Ａは、地点Ｍ１から通信エリアＡＢ内における地点Ｅ１へ移動する（ステップＳ１０４）。
【０２３７】
この際、無線端末装置２０２Ａは、アクセスポイント１５１Ｂと接続確立状態にあり、アクセスポイント１５１Ｂとデータ通信を行う。また、無線端末装置２０２Ａは、無線基地局装置１０１Ａと接続確立状態であり、無線基地局装置１０１Ａと通話通信を行う。
【０２３８】
なお、無線端末装置２０２および無線基地局装置１０１間で送受信する無線信号の周波数と、無線端末装置２０２およびアクセスポイント１５１間で送受信する無線信号の周波数とは異なる場合が多い。
【０２３９】
このため、無線端末装置２０２Ａは、通信エリアＡＢにおいてアクセスポイント１５１Ｂとデータ通信を行う際に、無線基地局装置１０１Ａからの無線信号が干渉となることはない。
【０２４０】
［アクセスポイントを含むセルにおいて発生する問題点］
図７は、本発明の実施の形態に係る無線通信システムにおいて、無線基地局装置が形成するセル内およびアクセスポイントが形成する通信エリア内を無線端末装置が移動する際の移動経路の他の一例を示す図である。
【０２４１】
図７を参照して、無線基地局装置１０１Ａは、たとえばマクロ基地局、ピコ基地局またはフェムト基地局であり、セルＣＡを形成する。また、アクセスポイント１５１Ａ，１５１Ｂは、それぞれ通信エリアＡＡ，ＡＢを形成する。通信エリアＡＡ，ＡＢは、たとえばセルＣＡに含まれる。
【０２４２】
まず、無線端末装置２０２Ａは、たとえばセルＣＡ内かつ通信エリアＡＡ，ＡＢ外における地点Ｓ２において無線基地局装置１０１Ａと接続確立状態にある。また、無線端末装置２０２Ａは、アクセスポイント１５１との無線通信を行うＷｉ−Ｆｉ接続機能を有しており、かつ当該Ｗｉ−Ｆｉ接続機能がオンに設定されているとする。
【０２４３】
次に、無線端末装置２０２Ａは、たとえば無線基地局装置１０１Ａとの接続確立状態を維持しながら地点Ｓ２から通信エリアＡＡの境界上における地点Ｍ２へ移動を開始する（ステップＳ１１２）。
【０２４４】
そして、無線端末装置２０２Ａは、通信接続が可能なアクセスポイント１５１を見つけるためにアクセスポイント１５１からの無線信号の受信電力を測定しながら移動する。
【０２４５】
次に、無線端末装置２０２Ａは、地点Ｍ２へ到着するとアクセスポイント１５１Ａからの無線信号の受信電力が所定レベル以上となったことを検出すると、アクセスポイント１５１Ａに対して通信接続を確立することを試みる。
【０２４６】
そして、無線端末装置２０２Ａは、アクセスポイント１５１Ａと接続確立状態となるとデータ通信先を無線基地局装置１０１Ａからアクセスポイント１５１Ａへ切替える。
【０２４７】
次に、無線端末装置２０２Ａは、地点Ｍ２から通信エリアＡＡの境界上における地点Ｍ３へ通信エリアＡＡの境界上を移動する（ステップＳ１１４）。
【０２４８】
次に、無線端末装置２０２Ａは、地点Ｍ３へ到着すると、通信エリアＡＡ外かつセルＣＡ内における地点Ｅ２へ移動を開始する（ステップＳ１１６）。
【０２４９】
次に、無線端末装置２０２Ａは、通信エリアＡＡ外へ出るとアクセスポイント１５１Ａからの無線信号の受信電力が所定レベル未満となるため、データ通信先をアクセスポイント１５１Ａから無線基地局装置１０１Ａへ戻す。
【０２５０】
また、無線端末装置２０２Ａは、通信接続が可能なアクセスポイント１５１を見つけるためにアクセスポイント１５１からの無線信号の受信電力を測定しながらセルＣＡ内を移動し、地点Ｅ２へ到着する。
【０２５１】
無線端末装置２０２Ａは、上記ステップＳ１１２およびＳ１１６において、通信接続が可能なアクセスポイント１５１を見つけるためにアクセスポイント１５１からの無線信号の受信電力を測定しながらセルＣＡ内を移動する。
【０２５２】
このため、無線端末装置２０２Ａは、当該受信電力を測定するために消費電力が大きくなるという問題が発生する。
【０２５３】
また、無線端末装置２０２Ａが、アクセスポイント１５１からの無線信号の受信電力が所定レベル以上となるとデータ通信先を無線基地局装置１０１から当該アクセスポイント１５１へ切り替える仕様を有する場合、以下の問題が生ずる。
【０２５４】
すなわち、無線端末装置２０２Ａは、上記ステップＳ１１２において、地点Ｍ２に到着したタイミングでアクセスポイント１５１Ａからの無線信号の受信電力が所定レベル以上であることを検出する。
【０２５５】
そして、無線端末装置２０２Ａは、たとえば当該受信電力が無線基地局装置１０１Ａからの無線信号の受信電力より小さい場合すなわち受信環境が悪い場合でもデータ通信先を無線基地局装置１０１Ａからアクセスポイント１５１Ａへ切り替えてしまう。
【０２５６】
また、無線端末装置２０２Ａは、一度データ通信先をアクセスポイント１５１Ａへ切り替えてしまうと、たとえばアクセスポイント１５１Ａからの無線信号の受信電力が所定レベル未満となるまですなわち上記ステップＳ１１６まで、データ通信先をアクセスポイント１５１Ａのまま維持する。
【０２５７】
たとえば、無線端末装置２０２Ａは、上記ステップＳ１１４において、無線基地局装置１０１Ａとの距離が短くなることにより無線基地局装置１０１Ａからの無線信号の受信電力がより大きくなる、すなわち無線基地局装置１０１Ａからの無線信号の受信環境がよりよくなる場合でも、データ通信先をアクセスポイント１５１Ａのまま維持する。
【０２５８】
このため、無線端末装置２０２Ａは、アクセスポイント１５１Ａからの無線信号の受信環境が無線基地局装置１０１Ａからの無線信号の受信環境より悪い場合でも、アクセスポイント１５１Ａをデータ通信先として維持してしまう。
【０２５９】
この場合、無線端末装置２０２Ａが行うデータ通信の単位時間当たりの通信データ量、すなわちスループットが下がってしまうという問題が発生する。
【０２６０】
一方、無線端末装置２０２Ｂ，２０２Ｃ，２０２Ｄ，２０２Ｅは、たとえばＷｉ−Ｆｉ接続機能を有しており、かつ当該Ｗｉ−Ｆｉ接続機能がオフに設定されているとする。
【０２６１】
無線端末装置２０２Ｂ，２０２Ｃは、たとえば通信エリアＡＡ内に位置している。また、無線端末装置２０２Ｄ，２０２Ｅは、たとえば通信エリアＡＢ内に位置している。
【０２６２】
無線端末装置２０２Ｂ，２０２Ｃは，Ｗｉ−Ｆｉ接続機能がオフに設定されているので、通信エリアＡＡ内に位置していても無線基地局装置１０１Ａをデータ通信先としている。
【０２６３】
また、無線端末装置２０２Ｄ，２０２Ｅは，Ｗｉ−Ｆｉ接続機能がオフに設定されているので、通信エリアＡＢ内に位置していても無線基地局装置１０１Ａをデータ通信先としている。
【０２６４】
このため、無線基地局装置１０１Ａは、自己と、無線端末装置２０２Ｂ，２０２Ｃ，２０２Ｄ，２０２Ｅとの間の通信トラヒックが増大しても、当該通信トラヒックをオフロードすることができないので、通信断および回線負荷の増加等、種々の問題が生じる。
【０２６５】
そこで、本発明の実施の形態に係る無線端末装置２０２、無線基地局装置１０１およびアクセスポイント１５１では、以下の構成および動作により通信トラヒックのオフロードに関する制御を適切に行い、上記問題を解決する。
【０２６６】
［アクセスポイントの構成］
図８は、本発明の実施の形態に係るアクセスポイントの構成を示す図である。
【０２６７】
図８を参照して、アクセスポイント１５１は、アンテナ１１１と、サーキュレータ１１２と、無線受信部（無線通信部）１１３と、無線送信部（無線通信部）１１４と、信号処理部１１５と、制御部１１８とを備える。信号処理部１１５は、受信信号処理部１１６と、送信信号処理部１１７とを含む。信号処理部１１５および制御部１１８は、ＣＰＵ（Central Processing Unit）またはＤＳＰ（Digital Signal Processor）等によって実現される。
【０２６８】
サーキュレータ１１２は、アンテナ１１１において受信された無線端末装置２０２からの無線信号を無線受信部１１３へ出力し、また、無線送信部１１４から受けた無線信号をアンテナ１１１へ出力する。
【０２６９】
無線受信部１１３は、サーキュレータ１１２から受けた無線信号をベースバンド信号またはＩＦ（Intermediate Frequency）信号に周波数変換し、この周波数変換した信号をデジタル信号に変換して受信信号処理部１１６へ出力する。
【０２７０】
受信信号処理部１１６は、無線受信部１１３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を所定のフレームフォーマットに変換してＩＰ網３０２側へ送信する。
【０２７１】
送信信号処理部１１７は、ＩＰ網３０２側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部１１４へ出力する。
【０２７２】
無線送信部１１４は、送信信号処理部１１７から受けたデジタル信号をアナログ信号に変換し、変換したアナログ信号を無線信号に周波数変換してサーキュレータ１１２へ出力する。
【０２７３】
制御部１１８は、アクセスポイント１５１における各ユニット、およびＩＰ網３０２経由で他の無線基地局装置１０１との間で各種情報をやり取りする。
【０２７４】
図９は、本発明の実施の形態に係るアクセスポイントにおける制御部の構成を示す図である。
【０２７５】
図９を参照して、制御部１１８は、メッセージ受信部（ネットワーク通信部）３１と、メッセージ応答制御部（通知部）３２と、メッセージ送信部（ネットワーク通信部）３３と、記憶部３４と、通信量測定部（トラヒック情報取得部）３５とを含む。
【０２７６】
記憶部３４は、たとえば自己のアクセスポイント１５１が無線端末装置２０２との無線通信に使用可能な無線通信方式および自己のアクセスポイント１５１のＩＤを保持する。無線通信方式およびＩＤは、アクセスポイント１５１の属性を示す装置情報である。
【０２７７】
無線通信方式は、具体的には無線信号の周波数帯の種別、無線ＬＡＮ規格の種別および無線ＬＡＮの認証プログラムの種別等である。
【０２７８】
無線信号の周波数帯の種別は、たとえば２．４−２．５ＧＨｚを使用する「２ＧＨｚバンド」および５．１５−５．３５ＧＨｚを使用する「５ＧＨｚバンド」である。
【０２７９】
また、無線ＬＡＮ規格の種別は、たとえば「ＩＥＥＥ（The Institute of Electrical and Electronics Engineers, Inc.）８０２．１１ａ」、「ＩＥＥＥ８０２．１１ｂ」、「ＩＥＥＥ８０２．１１ｇ」、「ＩＥＥＥ８０２．１１ｎ」および「ＩＥＥＥ８０２．１１ａｃ」である。
【０２８０】
また、無線ＬＡＮの認証プログラムの種別は、たとえば「ＷＰＡ（Wi-Fi Protected Access）」および「ＷＰＡ２」である。
【０２８１】
通信量測定部３５は、たとえば信号処理部１１５において処理される所定時間あたりの送信信号および受信信号のデータ量の合計を測定する。そして、通信量測定部３５は、当該合計に基づいて、自己のアクセスポイント１５１における無線通信の通信トラヒックについて判断を行う。
【０２８２】
当該判断の結果は、たとえば「Ｈｉｇｈ」、「Ｍｅｄｉｕｍ」または「Ｌｏｗ」である。通信量測定部３５は、当該判断の結果を含むトラヒック情報をメッセージ応答制御部３２へ出力する。
【０２８３】
メッセージ受信部３１は、たとえば送信先が無線端末装置２０２である通信データをＩＰ網３０２におけるサーバ等の他の装置から受信すると、受信した通信データを無線送信部１１４経由で当該無線端末装置２０２へ送信する。
【０２８４】
また、メッセージ受信部３１は、ＩＰ網３０２経由で無線基地局装置１０１からメッセージを受信し、受信したメッセージをメッセージ応答制御部３２へ出力する。
【０２８５】
具体的には、メッセージ受信部３１は、アクセスポイント状態通知要求（Wi-Fi AP（Access Point） Status Request）を示すメッセージを無線基地局装置１０１から受信する。
【０２８６】
図１０は、本発明の実施の形態に係るアクセスポイント状態通知要求を示すメッセージの一例を示す図である。
【０２８７】
図１０を参照して、アクセスポイント状態通知要求４１は、無線基地局ＩＤ（eNodeB ID）、アクセスポイントＩＤ（Service Set ID）およびメッセージタイプ（Message Type）を項目として含み、各々に対応する値を含む。
【０２８８】
無線基地局ＩＤは、アクセスポイント状態通知要求４１の送信元である無線基地局装置１０１のＩＤを示し、たとえば「１１１」である。
【０２８９】
アクセスポイントＩＤは、アクセスポイント状態通知要求４１の送信先であるアクセスポイント１５１のＩＤを示し、たとえば「ＡＡＡ」である。
【０２９０】
メッセージタイプは、アクセスポイント状態通知要求４１のメッセージの種別を示し、たとえば「Wi-Fi AP Status Request」である。
【０２９１】
メッセージ応答制御部３２は、メッセージ受信部３１からアクセスポイント状態通知要求４１を受けて、受けたアクセスポイント状態通知要求４１のメッセージタイプが「Wi-Fi AP Status Request」であることを確認すると、記憶部３４および通信量測定部３５から以下の情報を取得する。
【０２９２】
すなわち、メッセージ応答制御部３２は、記憶部３４から装置情報を取得する。当該装置情報は、たとえばアクセスポイント１５１が無線端末装置２０２との無線通信に使用可能な無線信号の周波数帯の種別、無線ＬＡＮ規格の種別および無線ＬＡＮの認証プログラムの種別と、自己のアクセスポイント１５１のＩＤとである。
【０２９３】
また、メッセージ応答制御部３２は、たとえば自己のアクセスポイント１５１における無線通信の通信トラヒックの判断結果を示すトラヒック情報を通信量測定部３５から取得する。
【０２９４】
メッセージ応答制御部３２は、記憶部３４および通信量測定部３５からそれぞれ取得した装置情報およびトラヒック情報に基づいて、アクセスポイント状態通知要求４１の応答メッセージであるアクセスポイント状態応答（Wi-Fi AP Status Report）を作成する。
【０２９５】
図１１は、本発明の実施の形態に係るアクセスポイント状態応答を示すメッセージの一例を示す図である。
【０２９６】
図１１を参照して、アクセスポイント状態応答４２は、無線基地局ＩＤ、アクセスポイントＩＤ、メッセージタイプ、周波数帯（RF-Parameters）、無線ＬＡＮ規格（PhyLayer Parameters）、認証プログラム（Authentication）および通信負荷（Traffic Load）を項目として含み、各々に対応する値を含む。
【０２９７】
具体的には、メッセージ応答制御部３２は、たとえばアクセスポイント状態応答４２の送信先である無線基地局装置１０１のＩＤである「１１１」を、無線基地局ＩＤ値としてアクセスポイント状態応答４２に書込む。
【０２９８】
また、メッセージ応答制御部３２は、たとえばアクセスポイント状態応答４２の送信元である自己のアクセスポイント１５１のＩＤである「ＡＡＡ」を、アクセスポイントＩＤ値としてアクセスポイント状態応答４２に書込む。
【０２９９】
また、メッセージ応答制御部３２は、たとえばアクセスポイント状態応答４２のメッセージの種別を示す「Wi-Fi AP Status Report」を、メッセージタイプとしてアクセスポイント状態応答４２に書込む。
【０３００】
また、メッセージ応答制御部３２は、たとえば記憶部３４から取得した使用可能な無線信号の周波数帯の種別が「２ＧＨｚバンド」である場合、周波数帯として「2000」をアクセスポイント状態応答４２に書込む。
【０３０１】
また、メッセージ応答制御部３２は、たとえば記憶部３４から取得した使用可能な無線ＬＡＮ規格の種別が「ＩＥＥＥ８０２．１１ｂ」である場合、無線ＬＡＮ規格として「802dot11b」をアクセスポイント状態応答４２に書込む。
【０３０２】
また、メッセージ応答制御部３２は、たとえば記憶部３４から取得した使用可能な無線ＬＡＮの認証プログラムの種別が「ＷＰＡ２」である場合、認証プログラムとして「WPA2」をアクセスポイント状態応答４２に書込む。
【０３０３】
また、メッセージ応答制御部３２は、たとえば通信量測定部３５から取得したトラヒック情報が「Ｈｉｇｈ」である場合、通信負荷として「High」をアクセスポイント状態応答４２に書込む。
【０３０４】
メッセージ応答制御部３２は、上記のように作成したアクセスポイント状態応答４２をメッセージ送信部３３へ出力する。
【０３０５】
メッセージ送信部３３は、メッセージ応答制御部３２からアクセスポイント状態応答４２を受けると、たとえばＩＰ網３０２経由で「１１１」のＩＤを有する無線基地局装置１０１へアクセスポイント状態応答４２を送信する。
【０３０６】
また、メッセージ送信部３３は、たとえば送信先がＩＰ網３０２におけるサーバ等の他の装置である通信データを無線受信部１１３経由で無線端末装置２０２から受信すると、受信した通信データをＩＰ網３０２経由で当該他の装置へ送信する。
【０３０７】
［無線基地局装置の構成］
図１２は、本発明の実施の形態に係る無線基地局装置の構成を示す図である。
【０３０８】
図１２を参照して、無線基地局装置１０１は、アンテナ９１と、サーキュレータ９２と、無線受信部（無線通信部）９３と、無線送信部（無線通信部）９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０３０９】
サーキュレータ９２は、アンテナ９１において受信された無線端末装置２０２からの無線信号を無線受信部９３へ出力し、また、無線送信部９４から受けた無線信号をアンテナ９１へ出力する。
【０３１０】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０３１１】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク３０１側へ送信する。
【０３１２】
送信信号処理部９７は、コアネットワーク３０１側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０３１３】
無線送信部９４は、送信信号処理部９７から受けたデジタル信号をアナログ信号に変換し、変換したアナログ信号を無線信号に周波数変換してサーキュレータ９２へ出力する。
【０３１４】
制御部９８は、無線基地局装置１０１における各ユニット、無線端末装置２０２およびコアネットワーク３０１との間で各種情報をやり取りする。
【０３１５】
図１３は、本発明の実施の形態に係る無線基地局装置における制御部の構成を示す図である。
【０３１６】
図１３を参照して、制御部９８は、ネットワーク通信部２１と、タイマ２２と、Ｗｉ−Ｆｉ対応情報収集部（端末能力情報取得部、装置情報取得部、トラヒック情報取得部、通信品質情報取得部および通信接続情報取得部）２３と、切替え制御部（オフロード促進部、装置情報通知部および位置情報通知部）２４と、切替え促進実行部（オフロード処理部）２５と、端末通信部２６と、切替え促進通知部（オフロード処理通知部）２７と、を含む。
【０３１７】
ネットワーク通信部２１は、Ｗｉ−Ｆｉ対応情報収集部２３から受けたメッセージをコアネットワーク３０１経由でアクセスポイント１５１へ送信する。また、ネットワーク通信部２１は、アクセスポイント１５１からコアネットワーク３０１経由で受けたメッセージをＷｉ−Ｆｉ対応情報収集部２３へ出力する。
【０３１８】
タイマ２２は、計測時間を設定して始動させると、設定した計測時間が経過するまで継続して作動する。タイマ２２の作動状態を確認することにより、タイマ２２を始動してから計測時間が経過したかどうかを知ることができる。
【０３１９】
端末通信部２６は、Ｗｉ−Ｆｉ対応情報収集部２３、切替え制御部２４または切替え促進通知部２７から受けたメッセージを送信信号処理部９７経由で無線端末装置２０２へ送信する。また、端末通信部２６は、無線端末装置２０２から受信信号処理部９６経由で受けたメッセージをＷｉ−Ｆｉ対応情報収集部２３、切替え制御部２４または切替え促進通知部２７へ出力する。
【０３２０】
切替え制御部２４は、たとえば自己の無線基地局装置１０１の周辺に位置するアクセスポイント１５１に関する情報および自己の無線基地局装置１０１が形成するセルに在圏する無線端末装置２０２に関する情報をＷｉ−Ｆｉ対応情報収集部２３から取得する。
【０３２１】
切替え制御部２４は、たとえば所定時間毎に上記情報を取得してもよいし、また、必要に応じて上記情報を取得してもよい。
【０３２２】
切替え制御部２４は、上記情報に基づいて、自己の無線基地局装置１０１と接続確立状態にある無線端末装置２０２に対して、データ通信先を自己の代わりにアクセスポイント１５１へ切替える動作すなわち通信先変更動作を促す。
【０３２３】
具体的には、切替え制御部２４は、たとえば自己の無線基地局装置１０１の周辺に位置するアクセスポイント１５１のＩＤを保持しており、当該ＩＤをＷｉ−Ｆｉ対応情報収集部２３へ出力する。
【０３２４】
Ｗｉ−Ｆｉ対応情報収集部２３は、切替え制御部２４からアクセスポイント１５１のＩＤを受けると、受けたＩＤに対応するアクセスポイント１５１についての装置情報およびトラヒック情報等を取得する。
【０３２５】
具体的には、Ｗｉ−Ｆｉ対応情報収集部２３は、当該ＩＤに基づいて、たとえば図１０に示すアクセスポイント状態通知要求４１を作成する。
【０３２６】
Ｗｉ−Ｆｉ対応情報収集部２３は、作成したアクセスポイント状態通知要求４１をたとえばネットワーク通信部２１経由でアクセスポイント１５１へ送信する。
【０３２７】
そして、Ｗｉ−Ｆｉ対応情報収集部２３は、送信したアクセスポイント状態通知要求４１の応答であるたとえば図１１に示すアクセスポイント状態応答４２をアクセスポイント１５１からネットワーク通信部２１経由で受けると、以下の処理を行う。
【０３２８】
すなわち、Ｗｉ−Ｆｉ対応情報収集部２３は、アクセスポイント状態応答４２に基づいて、たとえばアクセスポイントＩＤ、周波数帯、無線ＬＡＮ規格および認証プログラム等の装置情報を切替え制御部２４へ出力する。
【０３２９】
また、Ｗｉ−Ｆｉ対応情報収集部２３は、アクセスポイント状態応答４２に基づいて、たとえば通信負荷すなわち通信トラフィック等のトラヒック情報を切替え制御部２４へ出力する。
【０３３０】
また、Ｗｉ−Ｆｉ対応情報収集部２３は、自己の無線基地局装置１０１が形成するセルに在圏する無線端末装置２０２から、当該無線端末装置２０２がアクセスポイント１５１との無線通信が可能であるか否かを示す端末能力情報を端末通信部２６経由で取得する。
【０３３１】
端末能力情報は、たとえばアクセスポイント１５１との無線通信の可否、当該無線通信において使用可能な周波数、当該無線通信において使用可能な無線ＬＡＮ規格の種別および当該無線通信において使用可能な無線ＬＡＮの認証プログラムの種別を含む。
【０３３２】
具体的には、Ｗｉ−Ｆｉ対応情報収集部２３は、たとえばアイドル状態の無線端末装置２０２が自己の無線基地局装置１０１に対してアタッチ処理を行ってきた際に、当該無線端末装置２０２に対して端末能力情報を要求するためのメッセージである端末能力照会（UE Capability Enquiry）を作成する。
【０３３３】
図１４は、本発明の実施の形態に係る端末能力照会のメッセージの一例を示す図である。
【０３３４】
図１５は、本発明の実施の形態に係る端末能力照会に含まれる無線通信方式の種別の一例を示す図である。
【０３３５】
図１４を参照して、端末能力照会は、たとえば３ＧＰＰ（Third Generation Partnership Project）  ＴＳ  ３６．３３１  Ｖ１０．４．０に基づいて作成してもよい。
【０３３６】
Ｗｉ−Ｆｉ対応情報収集部２３は、たとえば端末能力照会に含まれる端末能力通知要求（UE-Capability Request）において、問い合わせたい無線通信方式の種別（RAT（Radio Access Technology）-Type）を指定する。
【０３３７】
図１５を参照して、無線通信方式の種別は、具体的には、ｅｕｔｒａ（Evolved Universal Terrestrial Radio Access）、ｕｔｒａ（Universal Terrestrial Radio Access）、およびｇｅｒａｎ−ｃｓ（GSM（登録商標）/EDGE Radio Access Network）等である。
【０３３８】
Ｗｉ−Ｆｉ対応情報収集部２３は、たとえば当該無線端末装置２０２が有するアクセスポイント１５１との通信能力を問い合わせる際には、無線通信方式の種別として列挙された中から少なくとも「ｗｉｆｉ」を選択する。
【０３３９】
そして、Ｗｉ−Ｆｉ対応情報収集部２３は、選択した無線通信方式の種別である「ｗｉｆｉ」を端末能力通知要求に含めた端末能力照会を作成し、作成した端末能力照会を端末通信部２６経由で当該無線端末装置２０２へ送信する。
【０３４０】
Ｗｉ−Ｆｉ対応情報収集部２３は、当該端末能力照会の応答としてたとえば端末能力情報（UE-Capability Information）を当該無線端末装置２０２から受信する。
【０３４１】
図１６は、本発明の実施の形態に係る端末能力情報の一例を示す図である。
【０３４２】
図１７は、本発明の実施の形態に係る端末無線通信方式格納部リストの一例を示す図である。
【０３４３】
図１８は、本発明の実施の形態に係る端末無線通信方式格納部に含まれる無線通信方式の一例を示す図である。
【０３４４】
図１６を参照して、端末能力情報は、たとえば３ＧＰＰ（Third Generation Partnership Project）  ＴＳ  ３６．３３１  Ｖ１０．４．０に基づいて作成してもよい。
【０３４５】
Ｗｉ−Ｆｉ対応情報収集部２３は、当該無線端末装置２０２から端末能力情報を受信すると、受信した端末能力情報を切替え制御部２４へ出力する。
【０３４６】
また、Ｗｉ−Ｆｉ対応情報収集部２３は、たとえば他の無線基地局装置１０１が無線端末装置２０２の自己の無線基地局装置１０１へのハンドオーバを要求してきた際、当該無線端末装置２０２の端末能力情報を当該他の無線基地局装置１０１からネットワーク通信部２１経由で取得する。
【０３４７】
そして、Ｗｉ−Ｆｉ対応情報収集部２３は、取得した端末能力情報を切替え制御部２４へ出力する。
【０３４８】
また、Ｗｉ−Ｆｉ対応情報収集部２３は、たとえば自己の無線基地局装置１０１が無線端末装置２０２の他の無線基地局装置１０１へのハンドオーバ要求を行う際、当該無線端末装置２０２の端末能力情報を当該他の無線基地局装置１０１へネットワーク通信部２１経由で送信する。
【０３４９】
切替え制御部２４は、Ｗｉ−Ｆｉ対応情報収集部２３から端末能力情報を受けると、以下の手順で端末能力情報に含まれる情報を取得する。
【０３５０】
すなわち、切替え制御部２４は、端末能力情報における端末無線通信方式格納部リスト（UE-CapabilityRAT-ContainerList）を参照する。
【０３５１】
図１７を参照して、切替え制御部２４は、参照した端末無線通信方式格納部リストに基づいて、当該端末無線通信方式格納部リストに含まれる端末無線通信方式格納部（UE-CapabilityRAT-Container）を取得する。
【０３５２】
そして、切替え制御部２４は、端末無線通信方式格納部における無線通信方式の種別および当該無線通信方式の種別に対応するオクテット列（OCTET STRING）を参照する。
【０３５３】
具体的には、切替え制御部２４は、たとえば当該無線通信方式の種別が「ｗｉｆｉ」である場合、以下の情報に関するオクテット列を参照する。
【０３５４】
すなわち、図１８を参照して、切替え制御部２４は、使用周波数パラメータ（RF-Parameters）、物理層パラメータ（PhyLayerParameters）および認証パラメータ（Authentication-Parameters）を参照する。
【０３５５】
使用周波数パラメータは、たとえば識別名がband2000Supportedおよびband5000Supportedのオクテット列である。
【０３５６】
band2000Supportedおよびband5000Supportedは、無線端末装置２０２がアクセスポイント１５１と無線通信を行う際に、それぞれ「２ＧＨｚバンド」および「５ＧＨｚバンド」の周波数が使用可能であるか否かを示す真偽型の値を保持する。
【０３５７】
真偽型の値は、具体的には、真を示す０ｘ００以外の値および偽を示す値である０ｘ００である。
【０３５８】
物理層パラメータは、たとえば識別名が802dot11aSupported、802dot11bSupported、802dot11gSupported、802dot11nSupportedおよび802dot11acSupportedのオクテット列である。
【０３５９】
802dot11aSupported、802dot11bSupported、802dot11gSupported、802dot11nSupportedおよび802dot11acSupportedは、無線端末装置２０２がアクセスポイント１５１と無線通信を行う際に、それぞれ「ＩＥＥＥ８０２．１１ａ」、「ＩＥＥＥ８０２．１１ｂ」、「ＩＥＥＥ８０２．１１ｇ」、「ＩＥＥＥ８０２．１１ｎ」および「ＩＥＥＥ８０２．１１ａｃ」の無線ＬＡＮ規格の種別が使用可能であるか否かを示す真偽型の値を保持する。
【０３６０】
認証パラメータは、たとえば識別名がWpaSupportedおよびWpa2Supportedのオクテット列である。
【０３６１】
WpaSupportedおよびWpa2Supportedは、無線端末装置２０２がアクセスポイント１５１と無線通信を行う際に、それぞれ「ＷＰＡ」および「ＷＰＡ２」の無線ＬＡＮの認証プログラムの種別が使用可能であるか否かを示す真偽型の値を保持する。
【０３６２】
切替え制御部２４は、たとえば参照した使用周波数パラメータ、物理層パラメータおよび認証パラメータにおけるオクテット列が全て偽を示す値である０ｘ００である場合、自己の無線基地局装置１０１に対してアタッチ処理を行ってきた無線端末装置２０２がアクセスポイント１５１と無線通信を行う能力を有しないと判断する。
【０３６３】
また、切替え制御部２４は、たとえば０ｘ００以外の値すなわち真を示す値が当該オクテット列において含まれる場合、アクセスポイント１５１と無線通信を行う能力を有すると判断する。
【０３６４】
より詳細には、切替え制御部２４は、当該無線端末装置２０２が当該真に対応するパラメータに基づいた能力を有すると判断する。
【０３６５】
再び図１３を参照して、切替え制御部２４は、Ｗｉ−Ｆｉ対応情報収集部２３から受けた装置情報および端末能力情報に基づいて、アクセスポイント情報（Wi-Fi AP Information）を作成する。
【０３６６】
図１９は、本発明の実施の形態に係るアクセスポイント情報を示すメッセージの一例を示す図である。
【０３６７】
図１９を参照して、アクセスポイント情報４３は、アクセスポイントＩＤ、周波数帯、無線ＬＡＮ規格、認証プログラム、（緯度，経度）およびエリアサイズを項目として含む。
【０３６８】
具体的には、たとえばＩＤが「ＡＡＡ」のアクセスポイント１５１の周波数帯が「２０００」であり、無線ＬＡＮ規格が「８０２ｄｏｔ１１ｂ」であり、認証プログラムが「ＷＰＡ」であり、（緯度、経度）が「Ｘ１，Ｙ１」であり、エリアサイズが「Ｌａｒｇｅ」である。
【０３６９】
また、たとえばＩＤが「ＢＢＢ」のアクセスポイント１５１の周波数帯が「２０００」であり、無線ＬＡＮ規格が「８０２ｄｏｔ１１ｎ」であり、認証プログラムが「ＷＰＡ２」であり、（緯度、経度）が「Ｘ２，Ｙ２」であり、エリアサイズが「Ｍｅｄｉｕｍ」である。
【０３７０】
また、たとえばＩＤが「ＣＣＣ」のアクセスポイント１５１の周波数帯が「５０００」であり、無線ＬＡＮ規格が「８０２ｄｏｔ１１ａ」であり、認証プログラムが「ＷＰＡ２」であり、（緯度、経度）が「Ｘ３，Ｙ３」であり、エリアサイズが「Ｓｍａｌｌ」である。
【０３７１】
ここで、周波数帯は、無線端末装置２０２およびアクセスポイント１５１間の無線通信に用いる無線信号の周波数を示し、たとえば「２０００」は「２ＧＨｚバンド」を示し、また「５０００」は「５ＧＨｚバンド」を示す。
【０３７２】
また、無線ＬＡＮ規格は、無線端末装置２０２およびアクセスポイント１５１間の無線通信に用いる無線ＬＡＮ規格の種別を示し、たとえば「８０２ｄｏｔ１１ｂ」は「ＩＥＥＥ８０２．１１ｂ」を示し、「８０２ｄｏｔ１１ｎ」は「ＩＥＥＥ８０２．１１ｎ」を示し、また「８０２ｄｏｔ１１ａ」は「ＩＥＥＥ８０２．１１ａ」を示す。
【０３７３】
また、認証プログラムにおける「ＷＰＡ」および「ＷＰＡ２」は、無線端末装置２０２およびアクセスポイント１５１間の無線通信に用いる無線ＬＡＮの認証プログラムの種別を示す。
【０３７４】
また、（緯度，経度）は、緯度および経度で表したアクセスポイント１５１の位置を示す。
【０３７５】
また、エリアサイズは、アクセスポイント１５１が形成する通信エリアのサイズを示し、たとえばサイズが大きい順に「Ｌａｒｇｅ」、「Ｍｅｄｉｕｍ」および「Ｓｍａｌｌ」である。
【０３７６】
具体的には、切替え制御部２４は、たとえばアクセスポイントＩＤが「ＡＡＡ」、「ＢＢＢ」および「ＣＣＣ」であるアクセスポイント１５１に対応する周波数帯、無線ＬＡＮ規格および認証プログラムすなわち装置情報をＷｉ−Ｆｉ対応情報収集部２３から受ける。
【０３７７】
切替え制御部２４は、Ｗｉ−Ｆｉ対応情報収集部２３から受けたアクセスポイントＩＤ、周波数帯、無線ＬＡＮ規格および認証プログラムに、エリア位置情報である（緯度，経度）およびエリアサイズを含めた情報を装置情報としてアクセスポイント情報４３に書込む。
【０３７８】
切替え制御部２４は、たとえば作成したアクセスポイント情報４３を報知情報における周辺セル情報に含め、当該報知情報を端末通信部２６経由で無線端末装置２０２へ送信することにより、当該無線端末装置２０２に対して通信先変更動作を促す。
【０３７９】
また、切替え制御部２４は、たとえばアクセスポイント１５１と無線通信を行う能力を有する無線端末装置２０２へアクセスポイント情報４３を個別に送信することにより、当該無線端末装置２０２に対して通信先変更動作を促す。
【０３８０】
この際、切替え制御部２４は、たとえば無線端末装置２０２が有するアクセスポイント１５１と無線通信を行う能力またはトラヒック情報に基づいて、アクセスポイント情報４３に含まれる情報を限定する。
【０３８１】
具体的には、切替え制御部２４は、たとえば無線端末装置２０２が能力を有する使用周波数パラメータ、物理層パラメータおよび認証パラメータに基づいて、当該無線端末装置２０２が無線通信を行うことが可能なアクセスポイント１５１をアクセスポイント情報４３から選択する。
【０３８２】
また、切替え制御部２４は、トラヒック情報に基づいて、通信負荷すなわち通信トラフィックが所定条件を満たす場合に、アクセスポイント１５１をアクセスポイント情報４３から選択する。
【０３８３】
当該所定条件は、たとえば通信負荷が「Ｍｅｄｉｕｍ」または「Ｌｏｗ」であることである。
【０３８４】
そして、切替え制御部２４は、選択したアクセスポイント１５１に関する情報に限定したアクセスポイント情報４３を無線端末装置２０２へ送信する。
【０３８５】
また、切替え制御部２４は、無線端末装置２０２へアクセスポイント情報４３を端末通信部２６経由で送信する際、以下の処理を行ってもよい。
【０３８６】
すなわち、切替え制御部２４は、無線端末装置２０２がアクセスポイント１５１を検出しやすいように、当該無線端末装置２０２におけるＤＲＸ（Discontinuous Reception）または異周波測定期間（Measurement Gap）等を設定してもよい。
【０３８７】
具体的には、切替え制御部２４は、当該無線端末装置２０２が自己の無線基地局装置１０１からの通信制御情報を含むＰＤＣＣＨ（Physical Downlink Control Channel）のモニタを間欠的に停止するＤＲＸ（Discontinuous Reception）動作において、モニタをオフするオフ期間が長くなるように設定する。
【０３８８】
また、切替え制御部２４は、当該無線端末装置２０２が使用している無線信号の周波数と異なる周波数を測定する異周波測定動作において、当該異周波測定動作を行う異周波測定期間の長さが長くなるように設定する。
【０３８９】
再び図１３を参照して、Ｗｉ−Ｆｉ対応情報収集部２３は、アクセスポイント情報４３の応答としてたとえば状態通知（Wi-Fi Status Report）を無線端末装置２０２から端末通信部２６経由で受信する。
【０３９０】
状態通知は、たとえば無線端末装置２０２が無線基地局装置１０１へ送信する測定結果通知に含まれる場合もあるし、また無線端末装置２０２から無線基地局装置１０１へ単独で送信される場合もある。
【０３９１】
図２０は、本発明の実施の形態に係る状態通知を示すメッセージの一例を示す図である。
【０３９２】
図２０を参照して、状態通知４４は、通信品質情報および通信接続情報を含む。より詳細には、状態通知４４は、検出済みのアクセスポイントＩＤ、通信品質および通信接続状態を項目として含む。
【０３９３】
具体的には、たとえばＩＤが「ＡＡＡ」のアクセスポイント１５１の通信品質が「Ｈｉｇｈ」であり、通信接続状態が「接続済」である。
【０３９４】
また、たとえばＩＤが「ＢＢＢ」のアクセスポイント１５１の通信品質が「Ｍｅｄｉｕｍ」であり、通信接続状態が「未接続」である。
【０３９５】
また、たとえばＩＤが「ＣＣＣ」のアクセスポイント１５１の通信品質が「Ｌｏｗ」であり、通信接続状態が「未接続」である。
【０３９６】
また、通信品質は、無線端末装置２０２および検出済みのアクセスポイント１５１間の通信の品質を示す通信品質情報であり、たとえば品質がよい順に「Ｈｉｇｈ」、「Ｍｅｄｉｕｍ」および「Ｌｏｗ」である。
【０３９７】
また、通信接続状態は、無線端末装置２０２および検出済みのアクセスポイント１５１間の通信接続状態を示す通信接続情報であり、たとえば当該通信接続が確立している場合「接続済」であり、また当該通信接続が確立していない場合「未接続」である。
【０３９８】
また、検出済みのアクセスポイントＩＤは、検出したアクセスポイント１５１の中で、当該無線端末装置２０２が接続可能と判断したアクセスポイント１５１のＩＤに限定してもよい。
【０３９９】
通信品質は、たとえば検出したアクセスポイント１５１から送信される無線信号の無線端末装置２０２における受信電力またはＳＩＮＲ（Signal to Interference-plus-Noise Ratio）に基づいて決定される。
【０４００】
あるいは、通信品質は、たとえば無線端末装置２０２が、検出したアクセスポイント１５１と実際に通信を行うことにより取得したスループットまたはパケットロス率に基づいて決定される。
【０４０１】
通信接続状態は、無線端末装置２０２および検出したアクセスポイント１５１間において通信接続が確立されているか否かを示す。
【０４０２】
Ｗｉ−Ｆｉ対応情報収集部２３は、当該無線端末装置２０２から取得した状態通知４４を切替え制御部２４へ出力する。
【０４０３】
再び図１３を参照して、切替え制御部２４は、たとえばＷｉ−Ｆｉ対応情報収集部２３から状態通知４４を受けると、受けた状態通知４４に基づいて、アクセスポイント情報４３に含まれる情報を限定する。
【０４０４】
具体的には、切替え制御部２４は、たとえば通信品質情報の示す通信品質が所定条件を満たすアクセスポイント１５１をアクセスポイント情報４３から選択する。
【０４０５】
当該所定条件は、たとえば通信品質が「Ｈｉｇｈ」または「Ｍｅｄｉｕｍ」であることである。
【０４０６】
そして、切替え制御部２４は、選択したアクセスポイント１５１に関する情報に限定したアクセスポイント情報４３を無線端末装置２０２へ送信することにより、当該無線端末装置２０２に対して通信先変更動作を促す。
【０４０７】
また、切替え制御部２４は、たとえば無線端末装置２０２がアクセスポイント１５１との通信接続を既に確立していることを状態通知４４における通信接続情報が示す場合には、当該無線端末装置２０２へアクセスポイント情報４３を送信しない。
【０４０８】
また、切替え制御部２４は、たとえば当該通信接続情報に基づいて、オフロード処理すなわち切替え促進処理を行うべきか否かについて判断する。
【０４０９】
具体的には、切替え制御部２４は、たとえば当該通信接続情報において、無線端末装置２０２がアクセスポイント１５１と通信接続を確立済みである場合、切替え促進処理を行うべきでないと判断する。
【０４１０】
一方、切替え制御部２４は、たとえば状態通知４４において、無線端末装置２０２がアクセスポイント１５１と通信接続を確立していない場合、切替え促進処理を行うべきと判断する。
【０４１１】
切替え制御部２４は、切替え促進処理を行うべきと判断する場合、当該判断の結果を切替え促進通知部２７へ出力する。
【０４１２】
切替え促進通知部２７は、切替え制御部２４から当該判断の結果を受けると、切替え促進処理を行う旨を含む通信先変更要求（Wi-Fi Switch Request）を端末通信部２６経由で当該無線端末装置２０２へ送信する。
【０４１３】
図２１は、本発明の実施の形態に係る通信先変更要求を示すメッセージの一例を示す図である。
【０４１４】
図２１を参照して、通信先変更要求４５は、リソース割当制限待機時間（ResourceLimitationTime）、送信電力制限待機時間（PowerReductionTime）および送信電力オフ待機時間（PowerOffTime）を項目として含み、各々に対応する値を含む。
【０４１５】
リソース割当制限待機時間、送信電力制限待機時間および送信電力オフ待機時間は、切替え促進処理が実行されるまでの待機時間である。
【０４１６】
切替え促進処理は、無線基地局装置１０１による無線リソースの割り当ての削減、送信電力の削減および接続の拒否等である。切替え促進処理については後述する。
【０４１７】
切替え促進通知部２７は、通信先変更要求４５を当該無線端末装置２０２へ送信する際に、通信先変更要求４５を含めた切替え促進処理開始命令を切替え促進実行部２５へ出力する。
【０４１８】
また、切替え促進通知部２７は、通信先変更要求４５に対する応答である通信先変更応答（Wi-Fi Switch Response）を当該無線端末装置２０２から受信したタイミングで、切替え促進処理開始命令を切替え促進実行部２５へ出力するか否かについて判断してもよい。
【０４１９】
図２２は、本発明の実施の形態に係る通信先変更応答を示すメッセージの一例を示す図である。
【０４２０】
図２２を参照して、通信先変更応答４６は、Ｗｉ−Ｆｉ切替え（Wi-Fi Switch）を項目として含み、各々に対応する値を含む。
【０４２１】
Ｗｉ−Ｆｉ切替えは、たとえば無線端末装置２０２が通信先をアクセスポイント１５１へ変更したか否かを示す。
【０４２２】
あるいは、Ｗｉ−Ｆｉ切替えは、当該無線端末装置２０２が通信先の変更を望むか否かを示してもよい。
【０４２３】
再び図１３を参照して、切替え促進通知部２７は、たとえば当該無線端末装置２０２から受けた通信先変更応答４６におけるＷｉ−Ｆｉ切替えの値がＡＣＫを示す場合、切替え促進処理開始命令を切替え促進実行部２５へ出力すべきと判断し、切替え促進処理開始命令を切替え促進実行部２５へ出力する。
【０４２４】
また、切替え促進通知部２７は、たとえば通信先変更応答４６におけるＷｉ−Ｆｉ切替えの値がＮＡＣＫを示す場合、切替え促進処理開始命令を切替え促進実行部２５へ出力すべきでないと判断し、切替え促進処理開始命令を切替え促進実行部２５へ出力しない。
【０４２５】
切替え促進実行部２５は、切替え促進通知部２７から切替え促進処理開始命令を受けると、通信先変更要求４５に含まれる待機時間をタイマ２２にセットし、タイマ２２を開始させる。
【０４２６】
そして、切替え促進実行部２５は、タイマ２２の動作が満了すると、通信先変更要求４５が示す切替え促進処理を、通信先変更動作が行われる可能性を高めるために実行する。
【０４２７】
より詳細には、切替え促進実行部２５は、たとえば当該無線端末装置２０２との無線信号を送信または受信する際に用いるリソースの割り当て量を小さくする。
【０４２８】
具体的には、切替え促進実行部２５は、たとえば当該無線端末装置２０２との無線信号の送信または受信する際に用いる無線リソースの割り当て量を半分に削減する。
【０４２９】
無線リソースは、たとえば当該無線信号の送受信に用いる搬送波であるサブキャリアの周波数領域および当該サブキャリアの送受信を行う時間である。
【０４３０】
切替え促進実行部２５は、タイマ２２を開始させてからリソース割当制限待機時間後に、無線リソースの割り当ての削減を実行する。
【０４３１】
また、切替え促進実行部２５は、たとえば当該無線端末装置２０２へ送信する無線信号の電力を小さくする。
【０４３２】
具体的には、切替え促進実行部２５は、たとえば当該無線端末装置２０２へ送信するサブキャリアの送信電力を半分に削減する。
【０４３３】
切替え促進実行部２５は、タイマ２２を開始させてから送信電力制限待機時間後に、送信電力の削減を実行する。
【０４３４】
また、切替え促進実行部２５は、たとえば当該無線端末装置２０２と送信または受信する通信データの種類を制限する。
【０４３５】
具体的には、切替え促進実行部２５は、たとえば当該無線端末装置２０２との通信接続を拒否する。より詳細には、切替え促進実行部２５は、データ情報を送信または受信するためのサブキャリアの送信電力をたとえばゼロにすることにより、当該無線端末装置２０２と送信または受信する通信データの種類を通話通信に関する情報に制限する。
【０４３６】
切替え促進実行部２５は、タイマ２２を開始させてから送信電力オフ待機時間後に、接続の拒否を実行する。
【０４３７】
［無線端末装置の構成］
図２３は、本発明の実施の形態に係る無線端末装置の構成を示す図である。
【０４３８】
図２３を参照して、無線端末装置２０２は、アンテナ８１と、サーキュレータ８２と、無線受信部（通信部）８３と、無線送信部（通信部）８４と、信号処理部８５と、制御部８８と、入出力部８９とを備える。信号処理部８５は、受信信号処理部８６と、送信信号処理部８７とを含む。信号処理部８５、制御部８８、および入出力部８９は、ＣＰＵ（Central Processing Unit）またはＤＳＰ（Digital Signal Processor）等によって実現される。
【０４３９】
サーキュレータ８２は、アンテナ８１において受信されたマクロ基地局、ピコ基地局またはフェムト基地局である無線基地局装置１０１およびアクセスポイント１５１からの無線信号を無線受信部８３へ出力し、また、無線送信部８４から受けた無線信号をアンテナ８１へ出力する。
【０４４０】
無線受信部８３は、サーキュレータ８２から受けた無線信号をベースバンド信号またはＩＦ（Intermediate Frequency）信号に周波数変換し、この周波数変換した信号をデジタル信号に変換して受信信号処理部８６へ出力する。
【０４４１】
受信信号処理部８６は、無線受信部８３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を所定のフレームフォーマットに変換し、制御部８８へ出力する。
【０４４２】
送信信号処理部８７は、制御部８８から受けた通信データを所定のフレームフォーマットに変換した通信データ、または自ら生成した通信データに対してＣＤＭＡ（Code Division Multiple Access）方式における拡散処理等の信号処理、またはＯＦＤＭ（Orthogonal Frequency Division Multiplex）方式におけるＩＦＦＴ（Inverse Fast Fourier Transform）等の信号処理を行ない、この信号処理後のデジタル信号を無線送信部８４へ出力する。
【０４４３】
無線送信部８４は、送信信号処理部８７から受けたデジタル信号をアナログ信号に変換し、変換したアナログ信号を無線信号に周波数変換してサーキュレータ８２へ出力する。
【０４４４】
制御部８８は、受信信号処理部８６から受けたフレームフォーマットに格納されたデジタル信号を、たとえば音声データおよび映像データに変換し、必要であるならアナログ信号に変換したのち、スピーカ、マイク、ディスプレイおよびキー入力装置により構成される入出力部８９へ出力する。
【０４４５】
制御部８８は、たとえば音声データおよびキー入力装置において受け付けた無線端末装置２０２を制御するための制御信号等を入出力部８９から受ける。そして、制御部８８は、必要に応じて受けた音声データおよび制御信号の一部を処理し、処理した音声データおよび制御信号を他の無線端末装置２０２へ送信するために所定のフレームフォーマットに変換する。
【０４４６】
また、制御部８８は、無線端末装置２０２における各ユニットとの間で各種情報をやり取りする。
【０４４７】
図２４は、本発明の実施の形態に係る無線端末装置における制御部の構成を示す図である。
【０４４８】
図２４を参照して、制御部８８は、通信制御部（通知部および通信先変更処理部）１１と、ＬＴＥ通信部１２と、Ｗｉ−Ｆｉ通信部１３と、能力情報処理部（端末能力情報作成部）１４と、アクセスポイント情報処理部（位置情報処理部および通信先変更許可部）１５と、Ｗｉ−Ｆｉ通信状態測定部（通信品質情報取得部）１６と、位置検出部（端末位置取得部）１７とを含む。
【０４４９】
位置検出部１７は、たとえばＧＰＳ（Global Positioning System）により自己の無線端末装置２０２の位置を所定時間毎または要求に応じて検出し、検出した位置情報である端末位置情報すなわち緯度および経度をアクセスポイント情報処理部１５へ出力する。
【０４５０】
ＬＴＥ通信部１２は、通信制御部１１から受けたメッセージを送信信号処理部８７経由で無線基地局装置１０１へ送信する。また、ＬＴＥ通信部１２は、受信信号処理部８６経由で無線基地局装置１０１から受けたメッセージを通信制御部１１へ出力する。
【０４５１】
Ｗｉ−Ｆｉ通信部１３は、通信制御部１１から受けたメッセージを送信信号処理部８７経由でアクセスポイント１５１へ送信する。また、Ｗｉ−Ｆｉ通信部１３は、受信信号処理部８６経由でアクセスポイント１５１から受けたメッセージを通信制御部１１へ出力する。
【０４５２】
通信制御部１１は、たとえば自己の無線端末装置２０２が無線基地局装置１０１に対してアタッチ処理を行う際に、当該無線基地局装置１０１から図１４に示す端末能力照会をＬＴＥ通信部１２経由で受信すると、受信した端末能力照会を能力情報処理部１４へ出力する。
【０４５３】
能力情報処理部１４は、端末能力照会を通信制御部１１から受けると、受けた端末能力照会に基づいて、自己の無線端末装置２０２がアクセスポイント１５１との無線通信を行うことが可能であるか否かを示すたとえば図１６に示す端末能力情報を作成する。
【０４５４】
具体的には、能力情報処理部１４は、たとえば図１５に示す当該端末能力照会における無線通信方式の種別において「ｗｉｆｉ」が含まれる場合、自己の無線端末装置２０２が有する以下に示す能力情報を、当該端末能力情報における端末無線通信方式格納部リストに含める。
【０４５５】
すなわち、当該能力情報は、たとえばアクセスポイント１５１との無線通信の可否、当該無線通信において使用可能な周波数、当該無線通信において使用可能な無線ＬＡＮ規格の種別および当該無線通信において使用可能な無線ＬＡＮの認証プログラムの種別である。
【０４５６】
そして、能力情報処理部１４は、作成した端末能力情報を通信制御部１１へ出力する。
【０４５７】
通信制御部１１は、能力情報処理部１４から端末能力情報を受けると、受けた端末能力情報をＬＴＥ通信部１２経由で当該無線基地局装置１０１へ送信する。
【０４５８】
再び図２４を参照して、通信制御部１１は、たとえば自己の無線端末装置２０２が他の装置との間で通信データを送受信するための通信データの中継装置を、無線基地局装置１０１からアクセスポイント１５１へ変更する通信先変更動作を、以下の場合に開始する。
【０４５９】
すなわち、通信制御部１１は、アクセスポイント情報処理部１５から通信先変更動作開始命令を受けた場合に、自己の無線端末装置２０２におけるＷｉ−Ｆｉ接続機能をオンに設定することにより、当該通信先変更動作を開始する。
【０４６０】
また、通信制御部１１は、アクセスポイント情報処理部１５から通信先変更動作停止命令を受けた場合に、自己の無線端末装置２０２におけるＷｉ−Ｆｉ接続機能をオフに設定することにより、当該通信先変更動作を停止する。
【０４６１】
具体的には、通信制御部１１は、無線基地局装置１０１から所定情報たとえば図１９に示すアクセスポイント情報４３をＬＴＥ通信部１２経由で受信すると、受信したアクセスポイント情報４３をアクセスポイント情報処理部１５へ出力する。
【０４６２】
アクセスポイント情報処理部１５は、通信制御部１１からアクセスポイント情報４３を受けると、通信先変更動作開始命令を通信制御部１１へ出力する。また、アクセスポイント情報処理部１５は、受けたアクセスポイント情報４３に基づいて、アクセスポイント１５１に関するアクセスポイントＩＤ、周波数帯、無線ＬＡＮ規格および認証プログラムをＷｉ−Ｆｉ通信状態測定部１６へ出力する。
【０４６３】
Ｗｉ−Ｆｉ通信状態測定部１６は、アクセスポイント情報処理部１５からアクセスポイントＩＤ、周波数帯、無線ＬＡＮ規格および認証プログラムを受けると、以下の処理を行う。
【０４６４】
すなわち、Ｗｉ−Ｆｉ通信状態測定部１６は、受けた周波数帯、無線ＬＡＮ規格および認証プログラムに基づいて、受けたアクセスポイントＩＤに対応するアクセスポイント１５１に対してＷｉ−Ｆｉ通信部１３経由で通信接続を確立する行うことを試みる。
【０４６５】
Ｗｉ−Ｆｉ通信状態測定部１６は、通信接続が確立した場合、たとえば当該アクセスポイント１５１から送信される無線信号の受信電力またはＳＩＮＲを測定する。
【０４６６】
また、Ｗｉ−Ｆｉ通信状態測定部１６は、通信接続が確立した場合、たとえば当該アクセスポイント１５１と実際に通信を行うことにより、当該通信におけるスループットまたはパケットロス率を測定する。
【０４６７】
Ｗｉ−Ｆｉ通信状態測定部１６は、測定した受信電力、ＳＩＮＲ、スループットまたはパケットロス率に基づいて、当該アクセスポイント１５１との通信品質をたとえばＨｉｇｈ、ＭｅｄｉｕｍまたはＬｏｗにより分類する。
【０４６８】
この際、Ｗｉ−Ｆｉ通信状態測定部１６は、たとえば確立したアクセスポイント１５１との通信接続をそのまま保持してもよい。
【０４６９】
そして、Ｗｉ−Ｆｉ通信状態測定部１６は、通信品質および通信接続を確立したアクセスポイント１５１のＩＤをアクセスポイント情報処理部１５へ出力する。
【０４７０】
アクセスポイント情報処理部１５は、Ｗｉ−Ｆｉ通信状態測定部１６から受けた通信品質および通信接続を確立したアクセスポイント１５１のＩＤに基づいて、たとえば図２０に示す状態通知４４を作成する。
【０４７１】
そして、アクセスポイント情報処理部１５は、作成した状態通知４４を通信制御部１１へ出力する。
【０４７２】
ここで、無線端末装置２０２は、たとえばシングルモード端末である場合、ＤＲＸ動作におけるモニタをオフするオフ期間または異周波測定動作を行う異周波測定期間にアクセスポイント１５１との無線信号の送受信を行い、また上記期間以外に無線基地局装置１０１との無線信号の送受信を行う。
【０４７３】
無線端末装置２０２は、当該オフ期間または当該異周波測定期間の長さが長くなるように無線基地局装置１０１により設定される場合がある。
【０４７４】
当該無線基地局装置１０１によりオフ期間または異周波測定期間が長く設定された場合、シングルモード端末は、アクセスポイント１５１と無線信号を送受信する期間すなわち通信接続の確立を試みる期間が長くなる。
【０４７５】
これにより、シングルモード端末によるアクセスポイント１５１の検出を補助することができる。
【０４７６】
通信制御部１１は、アクセスポイント情報処理部１５から状態通知４４を受けると、受けた状態通知４４をＬＴＥ通信部１２経由で無線基地局装置１０１へ送信する。
【０４７７】
また、通信制御部１１は、状態通知４４を測定結果通知に含めてＬＴＥ通信部１２経由で無線基地局装置１０１へ送信してもよい。
【０４７８】
なお、アクセスポイント情報処理部１５は、自己の無線端末装置２０２がいずれのアクセスポイント１５１とも通信接続を確立することができなかった場合、たとえば以下の処理を行ってもよい。
【０４７９】
すなわち、アクセスポイント情報処理部１５は、通信先変更動作停止命令を通信制御部１１へ出力する。
【０４８０】
通信制御部１１は、アクセスポイント情報処理部１５から通信先変更動作停止命令を受けて、自己の無線端末装置２０２におけるＷｉ−Ｆｉ接続機能をオフに設定する。
【０４８１】
そして、アクセスポイント情報処理部１５は、たとえば所定時間毎に位置検出部１７から受けた位置情報に基づいて、自己の無線端末装置２０２がアクセスポイント１５１により形成される通信エリア内に進入したか否かについて判断する。
【０４８２】
具体的には、アクセスポイント情報処理部１５は、位置検出部１７から受けた位置情報である緯度および経度と、アクセスポイント情報４３に含まれる（緯度，経度）とに基づいて、自己の無線端末装置２０２からアクセスポイント情報４３に含まれるアクセスポイント１５１までの距離を算出する。
【０４８３】
そして、アクセスポイント情報処理部１５は、アクセスポイント情報４３に含まれるアクセスポイント１５１のエリアサイズおよび当該アクセスポイント１５１までの距離に基づいて、自己の無線端末装置２０２が当該アクセスポイント１５１により形成される通信エリア内に位置するか否かについて判断する。
【０４８４】
アクセスポイント情報処理部１５は、自己の無線端末装置２０２がアクセスポイント１５１により形成される通信エリア内に位置する場合、当該アクセスポイント１５１との通信接続が可能であると判断し、たとえば通信先変更動作開始命令を通信制御部１１へ出力する。
【０４８５】
通信制御部１１は、アクセスポイント情報処理部１５から通信先変更動作開始命令を受けて、自己の無線端末装置２０２におけるＷｉ−Ｆｉ接続機能をオンに設定する。
【０４８６】
これにより、無線端末装置２０２は、アクセスポイント１５１からの無線信号の受信電力が通信可能なレベルでない場合においても当該アクセスポイント１５１からの無線信号を測定してしまうことにより生ずる、消費電力の増大を抑制することができる。
【０４８７】
また、通信制御部１１は、たとえばＬＴＥ通信部１２経由で無線基地局装置１０１から図２１に示す通信先変更要求４５を受信すると、以下の処理を行う。
【０４８８】
すなわち、通信制御部１１は、既にアクセスポイント１５１との通信接続を確立している場合、「ＡＣＫ」をＷｉ−Ｆｉ切替えの値として図２２に示す通信先変更応答４６に書込み、通信先変更応答４６をＬＴＥ通信部１２経由で当該無線基地局装置１０１へ送信する。
【０４８９】
また、通信制御部１１は、アクセスポイント１５１との通信接続を確立できていない場合、アクセスポイント１５１に対してＷｉ−Ｆｉ通信部１３経由で通信接続を確立することを試みる。
【０４９０】
通信制御部１１は、アクセスポイント１５１との通信接続を確立した場合、通信先を変更してもよいと判断し、通信先変更応答４６におけるＷｉ−Ｆｉ切替えの値をＡＣＫに設定する。
【０４９１】
一方、通信制御部１１は、アクセスポイント１５１との通信接続を確立できなかった場合、通信先を変更できないと判断し、「ＮＡＣＫ」をＷｉ−Ｆｉ切替えの値として通信先変更応答４６に書込む。
【０４９２】
そして、通信制御部１１は、通信先変更応答４６をＬＴＥ通信部１２経由で当該無線基地局装置１０１へ送信する。
【０４９３】
［アクセスポイントの状態に関する情報を取得する動作］
図２５は、本発明の実施の形態に係る無線通信システムにおいて、無線基地局装置によるアクセスポイントに関する情報を取得する動作の一例を示すシーケンス図である。
【０４９４】
図２５を参照して、アクセスポイント１５１Ａは、無線基地局装置１０１Ａが形成するセル内に位置するアクセスポイント１５１の内の一台であり、かつ無線基地局装置１０１ＡとＩＰ網３０２を介して接続されているものとする。
【０４９５】
まず、無線基地局装置１０１Ａは、たとえば図１０に示すアクセスポイント状態通知要求４１を自己の周辺に位置する１または複数のアクセスポイント１５１へ送信する。そして、アクセスポイント１５１Ａは、無線基地局装置１０１Ａからアクセスポイント状態通知要求４１を受信すると、たとえば図１１に示すアクセスポイント状態応答４２を作成する（ステップＳ２０２）。
【０４９６】
次に、アクセスポイント１５１Ａは、作成したアクセスポイント状態応答４２を無線基地局装置１０１Ａへ送信する。そして、無線基地局装置１０１Ａは、アクセスポイント１５１Ａからアクセスポイント状態応答４２を受信することにより装置情報およびトラヒック情報を取得する（ステップＳ２０４）。
【０４９７】
無線基地局装置１０１Ａは、上記ステップＳ２０４において、トラヒック情報をアクセスポイント１５１Ａから取得する。
【０４９８】
これにより、無線基地局装置１０１Ａは、自己と接続確立状態にある無線端末装置２０２に対して促す通信先変更動作の対象としてアクセスポイント１５１Ａが適切であるか否かを、当該トラヒック情報に基づいて判断することができる。
【０４９９】
たとえば、無線基地局装置１０１Ａは、アクセスポイント１５１Ａから受信したトラヒック情報が所定条件を満たさない場合たとえばトラヒック情報が「Ｈｉｇｈ」である場合、アクセスポイント１５１Ａが通信先変更動作の対象として適切でないと判断する。
【０５００】
また、無線基地局装置１０１Ａは、アクセスポイント１５１Ａから受信したトラヒック情報がたとえば当該所定条件を満たす場合、アクセスポイント１５１Ａが通信先変更動作の対象として適切であると判断する。
【０５０１】
これにより、無線基地局装置１０１Ａは、一部のアクセスポイント１５１に通信トラヒックが集中してしまうことを抑制することができるので、通信システムにおける通信の安定化を図ることができる。
【０５０２】
なお、無線基地局装置１０１Ａは、たとえば自己の通信トラヒックが、通信トラヒックの分散が必要となる所定のしきい値以上になった場合に上記処理を行ってもよいし、また、所定時間毎に上記処理を行ってもよい。
【０５０３】
［無線端末装置の能力に関する情報を取得する動作］
図２６は、本発明の実施の形態に係る無線通信システムにおいて、無線基地局装置による無線端末装置の能力に関する情報を取得する動作の一例を示すシーケンス図である。
【０５０４】
図２６を参照して、まず、アイドル状態の無線端末装置２０２Ａが、無線基地局装置１０１Ａにより形成されるセルへ進入し、無線基地局装置１０１Ａに対してアタッチ処理を行う状況を想定する。
【０５０５】
無線基地局装置１０１Ａは、まず、アイドル状態の無線端末装置２０２Ａが自己に対してアタッチ処理を行ってきた際に、たとえば図１４に示す端末能力照会を無線端末装置２０２Ａへ送信する（ステップＳ２５２）。
【０５０６】
次に、無線端末装置２０２Ａは、無線基地局装置１０１Ａから端末能力照会を受信すると、自己がアクセスポイント１５１との無線通信が可能であるか否かを示すたとえば図１６に示す端末能力情報を作成する。そして、無線端末装置２０２Ａは、作成した端末能力情報を無線基地局装置１０１Ａへ送信する。無線基地局装置１０１Ａは、無線端末装置２０２Ａから端末能力情報を受信する（ステップＳ２５４）。
【０５０７】
無線基地局装置１０１Ａは、上記ステップＳ２５４において、端末能力情報を無線端末装置２０２Ａから取得する。
【０５０８】
これにより、無線基地局装置１０１Ａは、当該端末能力情報に基づいて、無線端末装置２０２Ａが通信先変更動作を促すべき対象であるか否かを判断することができる。
【０５０９】
たとえば、無線基地局装置１０１Ａは、当該端末能力情報に基づいて、無線端末装置２０２がアクセスポイント１５１と無線通信を行う能力がないことを把握すると、当該無線端末装置２０２が通信先変更動作を促すべき対象でないと判断する。
【０５１０】
［無線基地局装置が無線端末装置に対して通信先変更動作を促す動作］
図２７は、本発明の実施の形態に係る無線通信システムにおいて、無線基地局装置が無線端末装置に通信先変更動作を促す動作の一例を示すシーケンス図である。
【０５１１】
図２７を参照して、無線端末装置２０２Ａは、無線基地局装置１０１Ａが形成するセルに在圏する無線端末装置２０２の内の一台であり、かつ無線基地局装置１０１Ａと接続確立状態にあるものとする。
【０５１２】
また、無線基地局装置１０１Ａは、アクセスポイント１５１の装置情報、位置情報およびトラヒック情報と、無線端末装置２０２Ａの端末能力情報とを保持する状況を想定する。
【０５１３】
まず、無線基地局装置１０１Ａは、たとえば当該装置情報および当該位置情報に基づいて、たとえば図１９に示すアクセスポイント情報４３を作成する。そして、無線基地局装置１０１Ａは、たとえばアクセスポイント情報４３を含めた報知情報を自己が形成するセルに在圏する無線端末装置２０２へ送信する（ステップＳ３０２）。
【０５１４】
次に、無線端末装置２０２Ａは、無線基地局装置１０１Ａからアクセスポイント情報４３を含む報知情報を受信すると、Ｗｉ−Ｆｉ接続機能をオンに設定し、アクセスポイント１５１の探索を開始する。そして、無線端末装置２０２Ａは、アクセスポイント情報４３に含まれる装置情報に基づいて、自己およびアクセスポイント１５１間の無線通信の通信品質を測定する（ステップＳ３０４）。
【０５１５】
この際、無線端末装置２０２Ａは、アクセスポイント１５１との通信接続を確立する場合がある。また、無線端末装置２０２Ａは、いずれのアクセスポイント１５１とも通信接続を確立することができなかった場合、たとえばＷｉ−Ｆｉ接続機能をオフに設定する。
【０５１６】
そして、無線端末装置２０２Ａは、当該通信品質およびアクセスポイント１５１との通信接続状態を含む図２０に示す状態通知４４を作成する。
【０５１７】
次に、無線端末装置２０２Ａは、作成した状態通知４４をたとえば測定結果通知に含めて無線基地局装置１０１Ａへ送信する。そして、無線基地局装置１０１Ａは、状態通知４４を含む測定結果通知を無線端末装置２０２Ａから受信する（ステップＳ３０６）。
【０５１８】
次に、無線基地局装置１０１Ａは、状態通知４４に基づいて、たとえばアクセスポイント情報４３に含まれる装置情報を限定する（ステップＳ３０８）。
【０５１９】
次に、無線基地局装置１０１Ａは、たとえば状態通知４４に含まれる通信接続情報において無線端末装置２０２Ａが未接続であることを示す場合、アクセスポイント情報４３を無線端末装置２０２Ａへ送信する。一方、無線基地局装置１０１Ａは、たとえば状態通知４４に含まれる通信接続情報において無線端末装置２０２Ａが接続済であることを示す場合、アクセスポイント情報４３を無線端末装置２０２Ａへ送信しなくてもよい（ステップＳ３１０）。
【０５２０】
次に、無線端末装置２０２Ａは、無線基地局装置１０１Ａからアクセスポイント情報４３を受信すると、Ｗｉ−Ｆｉ接続機能をオンに設定し、アクセスポイント１５１の探索を開始する。無線端末装置２０２Ａは、アクセスポイント情報４３に含まれる装置情報に基づいて、自己およびアクセスポイント１５１間の無線通信の通信品質を測定する（ステップＳ３１２）。
【０５２１】
この際、無線端末装置２０２Ａは、アクセスポイント１５１との通信接続を確立する場合がある。そして、無線端末装置２０２Ａは、当該通信品質およびアクセスポイント１５１との通信接続状態を含む状態通知４４を作成する。
【０５２２】
次に、無線端末装置２０２Ａは、作成した状態通知４４を無線基地局装置１０１Ａへ送信する（ステップＳ３１４）。
【０５２３】
無線基地局装置１０１Ａは、上記ステップＳ３０２において、アクセスポイント情報４３を報知情報に含めて無線端末装置２０２へ送信する。
【０５２４】
この際、無線基地局装置１０１Ａは、自己が形成するセルに在圏する無線端末装置２０２へアクセスポイント情報４３を送信するので、たとえば当該セル内に位置する全てのアクセスポイント１５１の情報をアクセスポイント情報４３に含める。
【０５２５】
これにより、無線端末装置２０２は、自己の位置と、アクセスポイント１５１の位置および当該アクセスポイント１５１が形成する通信エリアの大きさとに基づいて、通信接続が可能なアクセスポイント１５１の存在を把握することができる。
【０５２６】
無線端末装置２０２Ａは、上記ステップＳ３０４において、たとえばＷｉ−Ｆｉ接続機能をオンに設定し、アクセスポイント１５１の探索を開始する。
【０５２７】
無線端末装置２０２Ａは、通信接続が可能なアクセスポイント１５１の存在を把握できた場合、当該アクセスポイント１５１との通信接続を速やかに確立することができる。
【０５２８】
これにより、無線端末装置２０２Ａおよび無線基地局装置１０１Ａ間の通信トラヒックを無線端末装置２０２Ａおよび当該アクセスポイント１５１間へ退避させることができるので、通信システムにおける通信の安定化を図ることができる。
【０５２９】
一方、無線端末装置２０２Ａが、通信接続が可能なアクセスポイント１５１の存在を把握することができなかった場合、または通信接続が可能なアクセスポイント１５１の存在を把握できても当該アクセスポイント１５１との通信接続を確立できなかった場合、Ｗｉ−Ｆｉ接続機能をオフに設定することにより消費電力の増大を抑制することができる。
【０５３０】
また、無線端末装置２０２は、自己の位置、アクセスポイント１５１の位置および通信エリアの大きさを把握しているので、自己の位置が変わっても、接続すべきアクセスポイント１５１を適切に選択することができる。
【０５３１】
無線基地局装置１０１Ａは、上記ステップＳ３０８において、たとえばアクセスポイント情報４３に含まれる装置情報を限定する。
【０５３２】
具体的には、無線基地局装置１０１Ａは、無線端末装置２０２Ａへ送信するアクセスポイント情報４３に含める情報を、たとえばトラヒック情報に基づいて、通信負荷が小さいアクセスポイント１５１の情報に限定する。
【０５３３】
これにより、無線端末装置２０２Ａは、通信負荷が大きいアクセスポイント１５１と通信接続を確立してしまうことを防ぐことができる。
【０５３４】
一方、通信負荷が大きいアクセスポイント１５１においては、通信トラヒックがさらに集中することによる通信断またはスループットの低下等が発生してしまうことを防ぐことができる。
【０５３５】
また、無線基地局装置１０１Ａは、無線端末装置２０２Ａへ送信するアクセスポイント情報４３に含める情報を、たとえば無線端末装置２０２Ａの端末能力情報に基づいて、無線端末装置２０２Ａと無線通信を行うことが可能なアクセスポイント１５１の情報に限定する。
【０５３６】
これにより、無線端末装置２０２Ａは、自己と無線通信を行うことが可能なアクセスポイント１５１の情報を効率よく取得することができる。
【０５３７】
また、無線基地局装置１０１Ａは、無線端末装置２０２Ａへ送信するアクセスポイント情報４３に含める情報を、たとえば状態通知４４に含まれる通信品質情報に基づいて、無線端末装置２０２Ａと品質のよい無線通信を行うことが可能なアクセスポイント１５１の情報に限定する。
【０５３８】
これにより、無線端末装置２０２Ａは、品質のよい通信を行うことが可能なアクセスポイント１５１の情報を取得することができる。
【０５３９】
なお、無線基地局装置１０１Ａは、たとえば自己の通信トラヒックが、通信トラヒックの分散が必要となるしきい値以上と大きくなった場合に上記処理を行ってもよいし、また、所定時間毎に上記処理を行ってもよい。
【０５４０】
［切替え促進処理の実行動作］
図２８は、本発明の実施の形態に係る無線通信システムにおいて、無線基地局装置が切替え促進処理を実行する際の動作の一例を示すシーケンス図である。
【０５４１】
図２８を参照して、まず、無線基地局装置１０１Ａは、たとえば図２１に示す通信先変更要求４５を無線端末装置２０２Ａへ送信する（ステップＳ３５２）。
【０５４２】
次に、無線端末装置２０２Ａは、無線基地局装置１０１Ａから通信先変更要求４５を受信すると、アクセスポイント１５１に対して通信接続を確立することを試みる（ステップＳ３５４）。
【０５４３】
次に、無線端末装置２０２Ａは、たとえば図２２に示す通信先変更応答４６を作成し、作成した通信先変更応答４６を無線基地局装置１０１Ａへ送信する（ステップＳ３５６）。
【０５４４】
次に、無線基地局装置１０１Ａは、通信先変更応答４６を無線端末装置２０２Ａから受信すると、たとえば受信した通信先変更応答４６におけるＷｉ−Ｆｉ切替えの値がＡＣＫを示す場合、通信先変更要求４５に含まれる待機時間をタイマ２２にセットし、タイマ２２を開始させる（ステップＳ３５８）。
【０５４５】
次に、無線基地局装置１０１Ａは、タイマ２２の動作が満了すると、通信先変更要求４５が示す切替え促進処理を実行する（ステップＳ３６０）。
【０５４６】
一方、無線基地局装置１０１Ａは、たとえば受信した通信先変更応答４６におけるＷｉ−Ｆｉ切替えの値がＮＡＣＫを示す場合、切替え促進処理を実行しない。
【０５４７】
無線基地局装置１０１Ａは、上記ステップＳ３６０において、たとえば通信先変更応答４６におけるＷｉ−Ｆｉ切替えの値がＡＣＫを示す場合、Ｗｉ−ＦＩ切替え促進処理としてたとえば無線端末装置２０２Ａに割当てるリソースの削減を実行する。
【０５４８】
これにより、無線端末装置２０２Ａおよび無線基地局装置１０１Ａ間のデータ通信のスループットが下がるので、無線端末装置２０２Ａがデータ通信先をより通信環境のよいアクセスポイント１５１へ変更する可能性を高めることができる。
【０５４９】
また無線基地局装置１０１Ａは、切替え促進処理としてたとえば無線端末装置２０２Ａへ送信する無線信号の送信電力の削減を実行する。
【０５５０】
これにより、無線端末装置２０２Ａにおける無線基地局装置１０１Ａにより送信される無線信号の受信状況が悪化するので、無線端末装置２０２Ａがデータ通信先をより通信環境のよいアクセスポイント１５１へ変更する可能性を高めることができる。
【０５５１】
また無線基地局装置１０１Ａは、切替え促進処理としてたとえば無線端末装置２０２Ａとの通信接続を拒否する。
【０５５２】
これにより、無線端末装置２０２Ａは無線基地局装置１０１Ａとデータ通信を継続することができなくなるので、無線端末装置２０２Ａがデータ通信先をより通信環境のよいアクセスポイント１５１へ変更する可能性を高めることができる。
【０５５３】
また、切替え促進処理を実行することによりたとえば無線端末装置２０２Ａがデータ通信先をより通信環境のよいアクセスポイント１５１へ変更すると、無線端末装置２０２Ａおよび無線基地局装置１０１Ａ間の通信トラヒックを無線端末装置２０２Ａおよびアクセスポイント１５１間へ退避させることができる。
【０５５４】
これにより、無線基地局装置１０１Ａにおける通信トラヒックの集中を抑制することができるので、通信システムにおける通信の安定化を図ることができる。
【０５５５】
また、無線基地局装置１０１Ａは、たとえば通信先変更応答４６が否定を意味するＮＡＣＫを示す場合、切替え促進処理を実行しない。
【０５５６】
これにより、無線端末装置２０２Ａにおける通信接続が切断されてしまうことを防ぐことができるので、無線端末装置２０２Ａを利用するユーザの使用感の低下を抑制することができる。
【０５５７】
なお、無線基地局装置１０１Ａは、たとえば自己の通信トラヒックが、通信トラヒックの分散が必要となるしきい値より大きくなった場合に上記処理を行ってもよいし、また、所定時間毎に上記処理を行ってもよい。
【０５５８】
また、無線基地局装置１０１Ａは、上記ステップＳ３５８においてタイマ２２を開始させたが、通信先変更要求４５を無線端末装置２０２Ａへ送信するタイミング（ステップＳ３５２）においてタイマ２２を開始させてもよい。
【０５５９】
また、無線基地局装置１０１Ａは、タイマ２２を用いる構成に限らず、たとえば通信先変更要求４５を無線端末装置２０２Ａへ送信するタイミング（ステップＳ３５２）又は通信先変更応答４６を無線端末装置２０２Ａから受信するタイミング（ステップＳ３５６）において、通信先変更要求４５が示す切替え促進処理を実行してもよい。
【０５６０】
［通信先変更動作を促す動作および切替え促進動作に至るまでの一連の動作］
図２９は、本発明の実施の形態に係る無線通信システムにおいて、アクセスポイントおよび無線端末装置の情報に基づく通信先変更動作を促す動作および切替え促進動作の一例を示すシーケンス図である。
【０５６１】
図２９を参照して、アクセスポイント１５１Ａは、無線基地局装置１０１Ａが形成するセル内に位置するアクセスポイント１５１の内の一台であり、かつ当該無線基地局装置１０１ＡとＩＰ網３０２を介して接続されているものとする。
【０５６２】
まず、無線基地局装置１０１Ａは、たとえば図１０に示すアクセスポイント状態通知要求４１を自己の周辺に位置する１または複数のアクセスポイント１５１へ送信する。そして、アクセスポイント１５１Ａは、無線基地局装置１０１Ａからアクセスポイント状態通知要求４１を受信すると、たとえば図１１に示すアクセスポイント状態応答４２を作成する（ステップＳ４０２）。
【０５６３】
次に、アクセスポイント１５１Ａは、作成したアクセスポイント状態応答４２を無線基地局装置１０１Ａへ送信する。そして、無線基地局装置１０１Ａは、アクセスポイント１５１Ａからアクセスポイント状態応答４２を受信することにより装置情報およびトラヒック情報を取得する（ステップＳ４０４）。
【０５６４】
次に、無線端末装置２０２Ａは、アイドル状態のまま無線基地局装置１０１Ａにより形成されるセルへ進入する（ステップＳ４０６）。
【０５６５】
次に、無線基地局装置１０１Ａは、無線端末装置２０２Ａが自己に対してアタッチ処理を行ってきた際に、たとえば図１４に示す端末能力照会を無線端末装置２０２Ａへ送信する（ステップＳ４０８）。
【０５６６】
次に、無線端末装置２０２Ａは、無線基地局装置１０１Ａから端末能力照会を受信すると、自己がアクセスポイント１５１との無線通信が可能であるか否かを示すたとえば図１６に示す端末能力情報を作成する。そして、無線端末装置２０２Ａは、作成した端末能力情報を無線基地局装置１０１Ａへ送信する。無線基地局装置１０１Ａは、無線端末装置２０２Ａから端末能力情報を受信する（ステップＳ４１０）。
【０５６７】
次に、無線端末装置２０２Ａは、たとえば当該無線基地局装置１０１Ａと通信接続を確立する（ステップＳ４１２）。
【０５６８】
次に、無線基地局装置１０１Ａは、たとえばアクセスポイント１５１から取得した装置情報および自己が保持する位置情報に基づいて、たとえば図１９に示すアクセスポイント情報４３を作成する。そして、無線基地局装置１０１Ａは、たとえばアクセスポイント情報４３を含めた報知情報を自己が形成するセルに在圏する無線端末装置２０２へ送信する（ステップＳ４１４）。
【０５６９】
次に、たとえば無線端末装置２０２Ａは、無線基地局装置１０１Ａからアクセスポイント情報４３を含む報知情報を受信すると、Ｗｉ−Ｆｉ接続機能をオンに設定し、アクセスポイント１５１の探索を開始する。そして、無線端末装置２０２Ａは、アクセスポイント情報４３に含まれる装置情報に基づいて、自己およびアクセスポイント１５１間の無線通信の通信品質を測定する（ステップＳ４１６）。
【０５７０】
この際、無線端末装置２０２Ａは、アクセスポイント１５１との通信接続を確立する場合がある。また、無線端末装置２０２Ａは、いずれのアクセスポイント１５１とも通信接続を確立することができなかった場合、たとえばＷｉ−Ｆｉ接続機能をオフに設定する。
【０５７１】
そして、無線端末装置２０２Ａは、当該通信品質およびアクセスポイント１５１との通信接続状態を含む図２０に示す状態通知４４を作成する。
【０５７２】
次に、無線端末装置２０２Ａは、作成した状態通知４４をたとえば測定結果通知に含めて無線基地局装置１０１Ａへ送信する。そして、無線基地局装置１０１Ａは、状態通知４４を含む測定結果通知を無線端末装置２０２Ａから受信する（ステップＳ４１８）。
【０５７３】
次に、無線基地局装置１０１Ａは、状態通知４４に基づいて、たとえばアクセスポイント情報４３に含まれる装置情報を限定する（ステップＳ４２０）。
【０５７４】
次に、無線基地局装置１０１Ａは、たとえば状態通知４４に含まれる通信接続情報において無線端末装置２０２Ａが未接続であることを示す場合、アクセスポイント情報４３を無線端末装置２０２Ａへ送信する。一方、無線基地局装置１０１Ａは、たとえば状態通知４４に含まれる通信接続情報において無線端末装置２０２Ａが接続済であることを示す場合、アクセスポイント情報４３を無線端末装置２０２Ａへ送信しなくてもよい（ステップＳ４２２）。
【０５７５】
次に、無線端末装置２０２Ａは、無線基地局装置１０１Ａからアクセスポイント情報４３を受信すると、Ｗｉ−Ｆｉ接続機能をオンに設定し、アクセスポイント１５１の探索を開始する。無線端末装置２０２Ａは、アクセスポイント情報４３に含まれる装置情報に基づいて、自己およびアクセスポイント１５１間の無線通信の通信品質を測定する（ステップＳ４２４）。
【０５７６】
この際、無線端末装置２０２Ａは、アクセスポイント１５１との通信接続を確立する場合がある。そして、無線端末装置２０２Ａは、当該通信品質およびアクセスポイント１５１との通信接続状態を含む状態通知４４を作成する。
【０５７７】
次に、無線端末装置２０２Ａは、作成した状態通知４４を無線基地局装置１０１Ａへ送信する（ステップＳ４２６）。
【０５７８】
次に、無線基地局装置１０１Ａは、たとえば無線端末装置２０２Ａから受信した状態通知４４に含まれる通信接続情報において、無線端末装置２０２Ａが未接続であることを示す場合、図２１に示す通信先変更要求４５を無線端末装置２０２Ａへ送信する（ステップＳ４２８）。
【０５７９】
次に、無線端末装置２０２Ａは、無線基地局装置１０１Ａから通信先変更要求４５を受信すると、アクセスポイント１５１に対して通信接続を確立することを試みる（ステップＳ４３０）。
【０５８０】
次に、無線端末装置２０２Ａは、たとえば図２２に示す通信先変更応答４６を作成し、作成した通信先変更応答４６を無線基地局装置１０１Ａへ送信する（ステップＳ４３２）。
【０５８１】
次に、無線基地局装置１０１Ａは、通信先変更応答４６を無線端末装置２０２Ａから受信すると、たとえば受信した通信先変更応答４６におけるＷｉ−Ｆｉ切替えの値がＡＣＫを示す場合、通信先変更要求４５に含まれる待機時間をタイマ２２にセットし、タイマ２２を開始させる（ステップＳ４３４）。
【０５８２】
次に、無線基地局装置１０１Ａは、タイマ２２の動作が満了すると、通信先変更要求４５が示す切替え促進処理を実行する（ステップＳ４３６）。
【０５８３】
一方、無線基地局装置１０１Ａは、たとえば受信した通信先変更応答４６におけるＷｉ−Ｆｉ切替えの値がＮＡＣＫを示す場合、切替え促進処理を実行しない。
【０５８４】
無線基地局装置１０１Ａは、上記ステップＳ４２８において、たとえば状態通知４４に含まれる通信接続情報において、無線端末装置２０２Ａが未接続であることを示す場合、通信先変更要求４５を無線端末装置２０２Ａへ送信する。
【０５８５】
一方、無線基地局装置１０１Ａは、無線端末装置２０２Ａが通信接続可能なアクセスポイント１５１を検出していない場合、または無線端末装置２０２Ａがアクセスポイント１５１と通信接続を既に確立している場合、通信先変更要求４５を無線端末装置２０２Ａへ送信しなくてもよい。
【０５８６】
すなわち、無線基地局装置１０１は、無線端末装置２０２におけるアクセスポイント１５１との通信接続状態に基づいて、通信先変更要求４５を送信すべきか否かについて判断することができる。
【０５８７】
これにより、たとえば、無線基地局装置１０１は、通信接続可能なアクセスポイント１５１を検出していない無線端末装置２０２に対して切替え促進処理を実行することに起因する当該無線端末装置２０２における通信環境の悪化の発生、を抑制することができる。
【０５８８】
また、無線基地局装置１０１は、アクセスポイント１５１との通信接続を既に確立している無線端末装置２０２に対しては、通信先変更要求４５を送信し、かつ待機時間を与える動作を行うことなく切替え促進処理を速やかに実行することができる。
【０５８９】
ところで、無線端末装置２０２がアクセスポイント１５１と通信接続するか否かは当該無線端末装置２０２主導で行われる。このため、無線基地局装置１０１および無線端末装置２０２間における通信トラヒックが増大しても、当該通信トラヒックを効率的に分散することができない。この結果、通信システムにおける通信断および回線負荷の増加等、種々の問題が生じる。
【０５９０】
これに対して、本発明の実施の形態に係る無線基地局装置では、無線受信部９３および無線送信部９４は、無線端末装置２０２と無線信号を送受信する。そして、切替え制御部２４は、無線受信部９３および無線送信部９４と無線信号を送受信することにより自己の無線基地局装置１０１を介して他の装置との間で通信データを送受信している無線端末装置２０２に対して、自己の無線基地局装置１０１の代わりに、自己の無線基地局装置１０１とは異なる無線通信方式に従うアクセスポイント１５１と無線信号を送受信することによりアクセスポイント１５１を介して他の装置との間で通信データを送受信する通信先変更動作を促す。
【０５９１】
このような構成により、無線端末装置２０２における通信先変更動作が促されるので、無線端末装置２０２および無線基地局装置１０１間における通信トラヒックを、当該無線端末装置２０２およびアクセスポイント１５１間へ退避させ、通信システムにおける通信トラヒックの分散を図ることができる。
【０５９２】
これにより、当該無線端末装置２０２および無線基地局装置１０１間において通信トラヒックの集中が発生してしまう確率を下げることができるので、通信システムにおける通信の安定化を図ることができる。
【０５９３】
また、無線端末装置２０２においてアクセスポイント１５１を常に探索する必要がなくなることにより、通信システムにおける周波数の利用効率の改善、および無線端末装置２０２における消費電力の削減を行うことができる。
【０５９４】
また、本発明の実施の形態に係る無線基地局装置では、切替え促進実行部２５は、切替え制御部２４が通信先変更動作を促しても無線端末装置２０２が通信先変更動作を行なわなかった場合に、通信先変更動作が行なわれる可能性を高めるための切替え促進処理を行う。
【０５９５】
このような構成により、通信先変更動作を行なわなかった無線端末装置２０２に対して通信先変更動作を実効的に働きかけることができるので、通信トラヒックの分散をより確実に行うことができる。
【０５９６】
また、本発明の実施の形態に係る無線基地局装置では、切替え促進実行部２５は、切替え促進処理として、無線端末装置２０２が無線受信部９３および無線送信部９４と無線信号を送信または受信する際に用いる無線リソースの割り当て量を小さくする。
【０５９７】
このように、無線端末装置２０２に対する無線リソースの割り当て量を減少させることにより、通信トラヒックを増加させるための通信先変更動作を無線端末装置２０２において行うことが必要な状況を作り出すことができる。
【０５９８】
また、無線基地局装置１０１は、自己および無線端末装置２０２間の通信トラヒックを主導的に減少させることができる。
【０５９９】
また、本発明の実施の形態に係る無線基地局装置では、切替え促進実行部２５は、切替え促進処理として、無線送信部９４が無線端末装置２０２へ送信する無線信号の電力を小さくする。
【０６００】
このように、無線基地局装置１０１からの無線信号の無線端末装置２０２における受信電力を小さくすることにより、通信トラヒックを増やすための通信先変更動作を無線端末装置２０２において行うことが必要な状況を作り出すことができる。
【０６０１】
また、本発明の実施の形態に係る無線基地局装置では、切替え促進実行部２５は、切替え促進処理として、無線端末装置２０２が自己の無線基地局装置１０１と送信または受信する通信データの種類を制限する。
【０６０２】
このように、無線端末装置２０２および無線基地局装置１０１間において送受信される通信データの種類を制限することにより、通信トラヒックを増やすための通信先変更動作を無線端末装置２０２において行うことが必要な状況を作り出すことができる。
【０６０３】
また、本発明の実施の形態に係る無線基地局装置では、切替え促進通知部２７は、切替え促進処理を行う旨を無線端末装置２０２に通知する。そして、切替え促進実行部２５は、切替え促進通知部２７によって切替え促進処理を行う旨が通知された後に切替え促進処理を実行する。
【０６０４】
このような構成により、切替え促進処理が行われることを無線端末装置２０２において把握することができるので、当該無線端末装置２０２は当該切替え促進処理に先んじて通信先変更動作を開始することができる。
【０６０５】
また、たとえば無線基地局装置１０１が所定時間経過後に切替え促進処理を行う旨を無線端末装置２０２に対して通知する場合には、当該切替え促進処理が実行されるまでの猶予時間を無線端末装置２０２に対して与えることができるので、当該無線端末装置２０２おける通信先変更動作を安定して完了させることができる。
【０６０６】
これにより、切替え促進処理の実行による通信環境の悪化が当該無線端末装置２０２において発生してしまうことを抑制することができるので、当該無線端末装置２０２を利用するユーザの使用感が損なわれてしまうことを防ぐことができる。
【０６０７】
また、本発明の実施の形態に係る無線基地局装置では、Ｗｉ−Ｆｉ対応情報収集部２３は、自己の無線基地局装置１０１との間で無線端末装置２０２のハンドオーバ動作を実行する機能を有していないアクセスポイント１５１と無線端末装置２０２とが通信可能であるか否かを示す端末能力情報を取得する。そして、切替え制御部２４は、無線端末装置２０２がアクセスポイント１５１と通信可能であることを端末能力情報が示す場合に、無線端末装置２０２に対して通信先変更動作を促す。
【０６０８】
このような構成により、アクセスポイント１５１と無線通信を行う能力を有しない無線端末装置２０２に対して、通信先変更動作を促してしまうことを防ぐことができる。
【０６０９】
また、無線端末装置２０２がアクセスポイント１５１と無線通信を行う能力を有する場合において、無線基地局装置１０１は、当該無線端末装置２０２に対して通信先を適切に指定することができる。
【０６１０】
また、本発明の実施の形態に係る無線基地局装置では、Ｗｉ−Ｆｉ対応情報収集部２３は、自己の無線基地局装置１０１との間で無線端末装置２０２のハンドオーバ動作を実行する機能を有していないアクセスポイント１５１の通信トラヒックを示すトラヒック情報を取得する。そして、切替え制御部２４は、トラヒック情報の示す通信トラヒックが所定条件を満たす場合に、無線端末装置２０２に対して通信先変更動作を促す。
【０６１１】
このような構成により、アクセスポイント１５１における通信トラヒックに応じて、無線端末装置２０２に対して通信先変更動作を促すことができるので、通信システムにおける通信トラヒックを適切に分散させることができる。
【０６１２】
これにより、たとえば無線端末装置２０２が通信トラヒックの大きいアクセスポイント１５１へ通信先を変更してしまうことを防ぐことができるので、当該無線端末装置２０２におけるスループットの減少を抑制することができる。
【０６１３】
また、当該アクセスポイント１５１において通信トラヒックが集中してしまうことを防ぐことができるので、通信システムにおける通信の安定化を図ることができる。
【０６１４】
また、本発明の実施の形態に係る無線基地局装置では、切替え制御部２４は、自己の無線基地局装置１０１との間で無線端末装置２０２のハンドオーバ動作を実行する機能を有していないアクセスポイント１５１の属性を示す装置情報を無線端末装置２０２に通知する。
【０６１５】
このような構成により、無線端末装置２０２は、自己の周辺に位置するアクセスポイント１５１の装置情報を取得することができるので、通信先として適切なアクセスポイント１５１を選択することができる。
【０６１６】
また、本発明の実施の形態に係る無線基地局装置では、切替え制御部２４は、自己の無線基地局装置１０１との間で無線端末装置２０２のハンドオーバ動作を実行する機能を有していないアクセスポイント１５１が形成する通信エリアであって、アクセスポイント１５１と無線端末装置２０２とが通信可能な通信エリアの位置およびサイズを示す位置情報を含めた装置情報を無線端末装置２０２に通知する。
【０６１７】
このような構成により、無線端末装置２０２は、アクセスポイント１５１の位置およびエリアサイズを把握することができるので、アクセスポイント１５１と通信接続を適切に行うことが可能か否かについて速やかに判断することができる。
【０６１８】
これにより、たとえば無線端末装置２０２がアクセスポイント１５１と通信接続を行うことができない場合、当該無線端末装置２０２によるアクセスポイント１５１からの無線信号の受信電力の測定を停止させることができるので、当該無線端末装置２０２における消費電力の増大を抑制することができる。
【０６１９】
また、本発明の実施の形態に係る無線基地局装置では、Ｗｉ−Ｆｉ対応情報収集部２３は、自己の無線基地局装置１０１との間で無線端末装置２０２のハンドオーバ動作を実行する機能を有していないアクセスポイント１５１と無線端末装置２０２との間の通信品質を示す通信品質情報を取得する。そして、切替え制御部２４は、通信品質情報の示す通信品質が所定条件を満たす場合に、無線端末装置２０２に対して通信先変更動作を促す。
【０６２０】
このような構成により、たとえば無線端末装置２０２における通信品質がよい場合に当該無線端末装置２０２に対して通信先変更動作を促すことができる。
【０６２１】
これにより、当該無線端末装置２０２は、無線基地局装置１０１により通信先変更動作を促された場合、品質のよい通信を行うことが可能なアクセスポイント１５１に通信先を速やかに変更することができる。
【０６２２】
また、本発明の実施の形態に係る無線基地局装置では、Ｗｉ−Ｆｉ対応情報収集部２３は、自己の無線基地局装置１０１との間で無線端末装置２０２のハンドオーバ動作を実行する機能を有していないアクセスポイント１５１と無線端末装置２０２との通信接続状態を示す通信接続情報を取得する。
【０６２３】
このように、無線端末装置２０２に対して通信先変更動作を促すか否かを判断する構成により、無線基地局装置１０１は、たとえばアクセスポイント１５１との通信接続が確立している無線端末装置２０２に対して無駄に通信先変更動作を促してしまうことを防ぐことができる。
【０６２４】
また、本発明の実施の形態に係る無線基地局装置では、無線受信部９３および無線送信部９４は、無線端末装置２０２と無線信号を送受信する。そして、Ｗｉ−Ｆｉ対応情報収集部２３は、自己の無線基地局装置１０１との間で無線端末装置２０２のハンドオーバ動作を実行する機能を有していないアクセスポイント１５１と無線端末装置２０２とが通信可能であるか否かを示す端末能力情報を、無線受信部９３および無線送信部９４を介して無線端末装置２０２から取得する。
【０６２５】
このような構成により、アクセスポイント１５１と無線通信を行う能力を有しない無線端末装置２０２に対して、通信先変更動作を促してしまうことを防ぐことができる。
【０６２６】
また、無線端末装置２０２がアクセスポイント１５１と無線通信を行う能力を有する場合において、無線基地局装置１０１は、当該無線端末装置２０２に対して通信先を適切に指定することができる。
【０６２７】
そして、通信先を適切に指定することにより、無線端末装置２０２において通信先変更動作が行われると、当該無線端末装置２０２および無線基地局装置１０１間において通信トラヒックの集中が発生してしまう確率を下げることができるので、通信システムにおける通信の安定化を図ることができる。
【０６２８】
また、本発明の実施の形態に係る無線基地局装置では、無線受信部９３および無線送信部９４は、無線端末装置２０２と無線信号を送受信する。そして、切替え制御部２４は、自己の無線基地局装置１０１との間で無線端末装置２０２のハンドオーバ動作を実行する機能を有していないアクセスポイント１５１の属性を示す装置情報を、無線受信部９３および無線送信部９４を介して無線端末装置２０２に通知する。
【０６２９】
このような構成により、無線端末装置２０２は、自己の周辺に位置するアクセスポイント１５１の装置情報を取得することができるので、通信先として適切なアクセスポイント１５１を選択することができる。
【０６３０】
そして、アクセスポイント１５１を適切に選択することにより、無線端末装置２０２において通信先変更動作が行われると、当該無線端末装置２０２および無線基地局装置１０１間において通信トラヒックの集中が発生してしまう確率を下げることができるので、通信システムにおける通信の安定化を図ることができる。
【０６３１】
また、無線端末装置２０２は、アクセスポイント１５１の位置およびエリアサイズを把握することができるので、アクセスポイント１５１と通信接続を行うことができるか否かについて把握することができる。
【０６３２】
これにより、無線端末装置２０２は、アクセスポイント１５１と通信接続を行うことができない場合、アクセスポイント１５１からの無線信号の受信電力の測定を停止することができるので、消費電力の増大を抑制することができる。
【０６３３】
また、本発明の実施の形態に係る無線基地局装置では、無線受信部９３および無線送信部９４は、無線端末装置２０２と無線信号を送受信する。そして、切替え促進実行部２５は、無線受信部９３および無線送信部９４と無線信号を送受信することにより自己の無線基地局装置１０１を介して他の装置との間で通信データを送受信している無線端末装置２０２に対して、自己の無線基地局装置１０１の代わりに、自己の無線基地局装置１０１とは異なる無線通信方式に従うアクセスポイント１５１と無線信号を送受信することによりアクセスポイント１５１を介して他の装置との間で通信データを送受信する通信先変更動作が行なわれる可能性を高めるための切替え促進処理を行う。
【０６３４】
このような構成により、通信先変更動作を行なわなかった無線端末装置２０２に対して通信先変更動作を実効的に働きかけることができるので、通信トラヒックの分散をより確実に行うことができる。
【０６３５】
そして、通信トラヒックの分散をより確実に行うことにより無線端末装置２０２において通信先変更動作が行われると、当該無線端末装置２０２および無線基地局装置１０１間において通信トラヒックの集中が発生してしまう確率を下げることができるので、通信システムにおける通信の安定化を図ることができる。
【０６３６】
また、本発明の実施の形態に係る無線基地局装置では、無線受信部９３および無線送信部９４は、無線端末装置２０２と無線信号を送受信する。ネットワーク通信部２１は、自己の無線基地局装置１０１との間で無線端末装置２０２のハンドオーバ動作を実行する機能を有していないアクセスポイント１５１と、信号を送受信する。そして、Ｗｉ−Ｆｉ対応情報収集部２３は、アクセスポイント１５１の通信トラヒックを示すトラヒック情報をネットワーク通信部２１を介して取得する。
【０６３７】
このような構成により、アクセスポイント１５１における通信トラヒックが大きいか否かについて把握することができる。
【０６３８】
そして、アクセスポイント１５１における通信トラヒックが大きいことを把握することにより、無線端末装置２０２に対して適切に通信先変更動作を促すことができるので、当該アクセスポイント１５１における通信トラヒックを適切に分散することができる。
【０６３９】
これにより、アクセスポイント１５１における通信トラヒックの集中を防ぐことができるので、通信システムにおける通信の安定化を図ることができる。
【０６４０】
また、無線端末装置２０２が通信トラヒックの大きいアクセスポイント１５１へ通信先を変更してしまうことを防ぐことができるので、当該無線端末装置２０２におけるスループットの減少を抑制することができる。
【０６４１】
また、無線端末装置２０２においてアクセスポイント１５１を常に探索する必要がなくなることにより、通信システムにおける周波数の利用効率の改善、および無線端末装置２０２における消費電力の削減を行うことができる。
【０６４２】
また、本発明の実施の形態に係る無線基地局装置では、無線受信部９３および無線送信部９４は、無線端末装置２０２と無線信号を送受信する。ネットワーク通信部２１は、自己の無線基地局装置１０１との間で無線端末装置２０２のハンドオーバ動作を実行する機能を有していないアクセスポイント１５１と、信号を送受信する。そして、Ｗｉ−Ｆｉ対応情報収集部２３は、アクセスポイント１５１の属性を示す装置情報をネットワーク通信部２１を介して取得する。
【０６４３】
このような構成により、無線基地局装置１０１は、アクセスポイント１５１の属性を適切に把握することができる。
【０６４４】
そして、アクセスポイント１５１の属性を適切に把握することにより、無線基地局装置１０１は、無線端末装置２０２に対して通信先を適切に指定することができる。
【０６４５】
これにより、無線端末装置２０２において通信先変更動作が行われると、当該無線端末装置２０２および無線基地局装置１０１間において通信トラヒックの集中が発生してしまう確率を下げることができるので、通信システムにおける通信の安定化を図ることができる。
【０６４６】
また、本発明の実施の形態に係る無線端末装置では、無線受信部８３および無線送信部８４は、無線基地局装置１０１と無線信号を送受信する。また、無線受信部８３および無線送信部８４は、無線基地局装置１０１との間で無線端末装置２０２のハンドオーバ動作を実行する機能を有していないアクセスポイント１５１と、無線信号を送受信する。そして、通信制御部１１は、自己の無線端末装置２０２とアクセスポイント１５１とが無線受信部８３および無線送信部８４を介して通信可能であるか否かを示す端末能力情報を、無線受信部８３および無線送信部８４を介して無線基地局装置１０１へ通知する。
【０６４７】
このような構成により、無線基地局装置１０１は、自己が形成するセルに在圏する無線端末装置２０２が有するアクセスポイント１５１との無線通信の能力を適切に把握することができる。
【０６４８】
そして、当該能力を把握することにより、無線基地局装置１０１は、当該無線端末装置２０２に対して通信先を適切に指定することができる。
【０６４９】
これにより、無線端末装置２０２において通信先変更動作が適切に行われると、当該無線端末装置２０２および無線基地局装置１０１間において通信トラヒックの集中が発生してしまう確率を下げることができるので、通信システムにおける通信の安定化を図ることができる。
【０６５０】
また、本発明の実施の形態に係る無線端末装置では、無線受信部８３および無線送信部８４は、無線基地局装置１０１と無線信号を送受信する。また、無線受信部８３および無線送信部８４は、無線基地局装置１０１との間で無線端末装置２０２のハンドオーバ動作を実行する機能を有していないアクセスポイント１５１と、無線信号を送受信する。Ｗｉ−Ｆｉ通信状態測定部１６は、自己の無線端末装置２０２とアクセスポイント１５１との間の通信品質を示す通信品質情報を取得する。そして、通信制御部１１は、通信品質情報を、無線受信部８３および無線送信部８４を介して無線基地局装置１０１へ通知する。
【０６５１】
このような構成により、無線基地局装置１０１は、自己が形成するセルに在圏する無線端末装置２０２におけるアクセスポイント１５１との無線通信の通信品質を適切に把握することができる。
【０６５２】
そして、当該通信品質を適切に把握することにより、無線基地局装置１０１は、当該無線端末装置２０２に対して品質よく通信を行うことが可能な通信先を適切に指定することができる。
【０６５３】
これにより、無線端末装置２０２において通信先変更動作が適切に行われると、当該無線端末装置２０２および無線基地局装置１０１間において通信トラヒックの集中が発生してしまう確率を下げることができるので、通信システムにおける通信の安定化を図ることができる。
【０６５４】
また、本発明の実施の形態に係る無線端末装置では、無線受信部８３および無線送信部８４は、無線基地局装置１０１と無線信号を送受信する。通信制御部１１は、自己の無線端末装置２０２が他の装置との間で通信データを送受信するための通信データの中継装置を、無線基地局装置１０１から、無線基地局装置１０１との間で無線端末装置２０２のハンドオーバ動作を実行する機能を有していないアクセスポイント１５１へ変更する通信先変更動作を行う。そして、アクセスポイント情報処理部１５は、無線受信部８３および無線送信部８４を介して無線基地局装置１０１から所定情報を取得した場合に、通信制御部１１による通信先変更動作を実行可能とする。
【０６５５】
このような構成により、無線端末装置２０２は、通信先変更動作を実行すべきタイミングを取得し、通信先変更動作が成功する可能性を高めることができる。
【０６５６】
これにより、無線端末装置２０２において通信先変更動作が適切に行われると、当該無線端末装置２０２および無線基地局装置１０１間において通信トラヒックの集中が発生してしまう確率を下げることができるので、通信システムにおける通信の安定化を図ることができる。
【０６５７】
また、無線端末装置２０２は、通信先変更動作が成功する可能性が低い場合に、当該通信先変更動作を次の実行すべきタイミングまで停止することができるので、当該無線端末装置２０２における消費電力の低減を図ることができる。
【０６５８】
また、本発明の実施の形態に係る無線端末装置では、無線受信部８３および無線送信部８４は、無線基地局装置１０１と無線信号を送受信する。アクセスポイント情報処理部１５は、無線基地局装置１０１との間で無線端末装置２０２のハンドオーバ動作を実行する機能を有していないアクセスポイント１５１が形成するエリアであって、アクセスポイント１５１と無線端末装置２０２とが通信可能なエリアの位置を示すエリア位置情報を無線基地局装置１０１から取得する。位置検出部１７は、自己の無線端末装置２０２の位置を示す端末位置情報を取得する。通信制御部１１は、自己の無線端末装置２０２が他の装置との間で通信データを送受信するための通信データの中継装置を、無線基地局装置１０１からアクセスポイント１５１へ変更する通信先変更動作を行う。そして、アクセスポイント情報処理部１５は、端末位置情報の示す自己の無線端末装置２０２の位置がエリア位置情報の示すエリアに含まれるか否かを判断し、自己の無線端末装置２０２の位置が当該エリアに含まれる場合に、通信制御部１１による通信先変更動作を実行可能とする。
【０６５９】
このような構成により、無線端末装置２０２は、通信先変更動作を実行すべきタイミングを取得し、通信先変更動作が成功する可能性を高めることができる。
【０６６０】
これにより、無線端末装置２０２において通信先変更動作が適切に行われると、当該無線端末装置２０２および無線基地局装置１０１間において通信トラヒックの集中が発生してしまう確率を下げることができるので、通信システムにおける通信の安定化を図ることができる。
【０６６１】
また、無線端末装置２０２は、通信先変更動作が成功する可能性が低い場合に、当該通信先変更動作を次の実行すべきタイミングまで停止することができるので、当該無線端末装置２０２における消費電力の低減を図ることができる。
【０６６２】
また、本発明の実施の形態に係る無線通信装置では、無線受信部１１３は、無線端末装置２０２から無線信号を受信する。無線送信部１１４は、無線端末装置２０２へ無線信号を送信する。メッセージ送信部３３は、無線受信部１１３を介して受信した通信データを他の装置へ送信し、かつメッセージ受信部３１は、無線送信部１１４を介して無線端末装置２０２へ送信するための通信データを他の装置から受信する。通信量測定部３５は、自己のアクセスポイント１５１と無線端末装置２０２との間の通信トラヒックを示すトラヒック情報を取得する。そして、メッセージ応答制御部３２は、トラヒック情報を、無線端末装置２０２と無線信号を送受信する無線基地局装置１０１へメッセージ送信部３３を介して通知する。
【０６６３】
このような構成により、無線基地局装置１０１は、アクセスポイント１５１における通信トラヒックを適切に把握することができる。
【０６６４】
そして、通信トラヒックを適切に把握することにより、無線基地局装置１０１は、無線端末装置２０２に対して通信先変更動作を適切に促すことができるので、当該アクセスポイント１５１における通信トラヒックを適切に分散することができる。
【０６６５】
これにより、アクセスポイント１５１における通信トラヒックの集中を防ぐことができるので、通信システムにおける通信の安定化を図ることができる。
【０６６６】
また、無線端末装置２０２においてアクセスポイント１５１を常に探索する必要がなくなることにより、通信システムにおける周波数の利用効率の改善、および無線端末装置２０２における消費電力の削減を行うことができる。
【０６６７】
また、本発明の実施の形態に係る無線通信装置では、無線受信部１１３は、無線端末装置２０２から無線信号を受信する。無線送信部１１４は、無線端末装置２０２へ無線信号を送信する。メッセージ送信部３３は、無線受信部１１３を介して受信した通信データを他の装置へ送信し、かつメッセージ受信部３１は、無線送信部１１４を介して無線端末装置２０２へ送信するための通信データを他の装置から受信する。そして、メッセージ応答制御部３２は、自己のアクセスポイント１５１の属性を示す装置情報を、メッセージ送信部３３を介して無線基地局装置１０１へ通知する。
【０６６８】
このような構成により、無線基地局装置１０１は、アクセスポイント１５１の属性を適切に把握することができる。
【０６６９】
そして、アクセスポイント１５１の属性を把握することにより、無線基地局装置１０１は、無線端末装置２０２に対して通信先を適切に指定することができる。
【０６７０】
これにより、無線端末装置２０２において通信先変更動作が行われると、当該無線端末装置２０２および無線基地局装置１０１間において通信トラヒックの集中が発生してしまう確率を下げることができるので、通信システムにおける通信の安定化を図ることができる。
【０６７１】
なお、本発明の実施の形態に係る無線基地局装置１０１は、自己の周辺に位置する１または複数のアクセスポイント１５１へアクセスポイント状態通知要求を送信することにより、当該アクセスポイント１５１の状態に関する情報の取得を行ったが、これに限定するものではない。たとえば管理サーバが、広範囲に位置する１または複数のアクセスポイント１５１の状態に関する情報を管理し、無線基地局装置１０１が当該管理サーバからアクセスポイント１５１の状態に関する情報をまとめて取得するようにしてもよい。
【０６７２】
また、本発明の実施の形態に係るアクセスポイント１５１は、Ｗｉ−Ｆｉに従う認証を受けた無線ＬＡＮ装置であるとしたがこれに限定するものではない。無線ＬＡＮ装置に限らず、無線基地局装置１０１との間で無線端末装置２０２のハンドオーバ動作を実行する機能を有していない無線通信装置であればよい。
【０６７３】
また、本発明の実施の形態に係る無線通信システム４０１は、３ＧＰＰで規格化されたＬＴＥに従う移動体通信システムを含むとしたがこれに限定するものではない。無線通信システム４０１は、３ＧＰＰ以外の規格に従う移動体通信システムを含んでもよい。
【０６７４】
また、本発明の実施の形態に係る無線端末装置２０２は、位置検出部１７により自己の位置を取得したがこれに限定するものではない。たとえば無線基地局装置１０１またはＭＭＥ１６２等の上位装置が無線端末装置２０２の位置を検出し、検出した位置を含む位置情報を当該無線端末装置２０２へ通知する。そして、無線端末装置２０２は、無線基地局装置１０１または上位装置から受信した位置情報により、自己の位置を取得してもよい。
【０６７５】
また、本発明の実施の形態に係る無線基地局装置１０１は、無線端末装置２０２に対してアクセスポイント１５１への通信先変更動作を促したが、これに限定するものではない。アクセスポイント１５１に限らず、他の通信方式に従う無線通信装置への通信先変更動作を促してもよい。
【０６７６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０６７７】
１１  通信制御部（通知部および通信先変更処理部）
１２  ＬＴＥ通信部
１３  Ｗｉ−Ｆｉ通信部
１４  能力情報処理部（端末能力情報作成部）
１５  アクセスポイント情報処理部（位置情報処理部および通信先変更許可部）
１６  Ｗｉ−Ｆｉ通信状態測定部（通信品質情報取得部）
１７  位置検出部（端末位置取得部）
２１  ネットワーク通信部
２２  タイマ
２３  Ｗｉ−Ｆｉ対応情報収集部（端末能力情報取得部、装置情報取得部、トラヒック情報取得部、通信品質情報取得部および通信接続情報取得部）
２４  切替え制御部（オフロード促進部、装置情報通知部および位置情報通知部）
２５  切替え促進実行部（オフロード処理部）
２６  端末通信部
２７  切替え促進通知部（オフロード処理通知部）
３１  メッセージ受信部（ネットワーク通信部）
３２  メッセージ応答制御部（通知部）
３３  メッセージ送信部（ネットワーク通信部）
３４  記憶部
３５  通信量測定部（トラヒック情報取得部）
８１  アンテナ
８２  サーキュレータ
８３  無線受信部（通信部）
８４  無線送信部（通信部）
８５  信号処理部
８６  受信信号処理部
８７  送信信号処理部
８８  制御部              
８９  入出力部
９１  アンテナ
９２  サーキュレータ
９３  無線受信部（無線通信部）
９４  無線送信部（無線通信部）
９５  信号処理部
９６  受信信号処理部
９７  送信信号処理部
９８  制御部
１０１  無線基地局装置
１１１  アンテナ
１１２  サーキュレータ
１１３  無線受信部（無線通信部）
１１４  無線送信部（無線通信部）
１１５  信号処理部
１１６  受信信号処理部
１１７  送信信号処理部
１１８  制御部
１５１  アクセスポイント
１６１  Ｓ-ＧＷ
１６２  ＭＭＥ
１６３  Ｐ−ＧＷ
２０２  無線端末装置
３０１  コアネットワーク
３０２  ＩＰ網
【図１】
2014022847.tif 000003
【図２】
2014022847.tif 000004
【図３】
2014022847.tif 000005
【図４】
2014022847.tif 000006
【図５】
2014022847.tif 000007
【図６】
2014022847.tif 000008
【図７】
2014022847.tif 000009
【図８】
2014022847.tif 000010
【図９】
2014022847.tif 000011
【図１０】
2014022847.tif 000012
【図１１】
2014022847.tif 000013
【図１２】
2014022847.tif 000014
【図１３】
2014022847.tif 000015
【図１４】
2014022847.tif 000016
【図１５】
2014022847.tif 000017
【図１６】
2014022847.tif 000018
【図１７】
2014022847.tif 000019
【図１８】
2014022847.tif 000020
【図１９】
2014022847.tif 000021
【図２０】
2014022847.tif 000022
【図２１】
2014022847.tif 000023
【図２２】
2014022847.tif 000024
【図２３】
2014022847.tif 000025
【図２４】
2014022847.tif 000026
【図２５】
2014022847.tif 000027
【図２６】
2014022847.tif 000028
【図２７】
2014022847.tif 000029
【図２８】
2014022847.tif 000030
【図２９】
2014022847.tif 000031